(57)【要約】      （修正有）【課題】無線ノード（ＲＮ）にとって未知なワイヤレスデバイス固有のプリコーダサブセットを、ＲＮにおいて複数のプリコーダサブセットの中から選択可能とする方法を提供する。【解決手段】ワイヤレスデバイスは、ＲＮからワイヤレスデバイスへの少なくとも１つの伝送についての測定に基づいてプリコーダのサブセットを決定し４０４、決定したサブセットに含まれるそれぞれの少なくとも１つのプリコーダでプリコーディングされた少なくとも１つのサウンディング参照信号（ＳＲＳ）をＲＮに伝送する４０６。ＲＮは、プリコーディングされた少なくとも１つのＳＲＳをワイヤレスデバイスから受信し、ワイヤレスデバイス固有のサブセットを決定する。ワイヤレスデバイスは選択されたプリコーダを示す信号をＲＮから受信する４０７。【選択図】図４ａ
2019195160.tif 000002
【特許請求の範囲】
【請求項１】
ワイヤレスデバイス（１０８）によって実行される、無線ノード（ＲＮ）（１０６）とのワイヤレス通信のためのプリコーダの選択を支援する方法であって、前記ワイヤレスデバイス（１０８）が、プリコーダのセットで構成され、前記方法が、
前記プリコーダのセットの中からプリコーダのサブセットを決定すること（４０４）と、
前記サブセットに含まれるそれぞれの少なくとも１つのプリコーダでプリコーディングされた少なくとも１つのサウンディング参照信号を前記ＲＮ（１０６）に伝送することこと（４０６）とを含む方法。
【請求項２】
前記ＲＮ（１０６）への伝送に使用される選択されたプリコーダを示す信号を前記ＲＮ（１０６）から受信すること（４０７）をさらに含み、前記選択されたプリコーダが、前記伝送された少なくとも１つのサウンディング参照信号に基づいて間接的に選択される、請求項１に記載の方法。
【請求項３】
ワイヤレスデバイス（１０８）によって実行される、無線ノード（ＲＮ）（１０６）にデータを伝送する方法であって、前記ワイヤレスデバイス（１０８）が、プリコーダのセットで構成され、前記プリコーダのセットの各プリコーダが、前記ワイヤレスデバイス（１０８）のアンテナ要素のセットにおける伝送に適用されたときにそれぞれの伝送パターンを提供するように規定され、前記方法が、
前記プリコーダのセットの中からプリコーダのサブセットを決定すること（４０４）と、
前記サブセットに含まれるそれぞれの少なくとも１つのプリコーダでプリコーディングされた少なくとも１つのサウンディング参照信号を前記ＲＮ（１０６）に伝送すること（４０６）と、
前記伝送された少なくとも１つのサウンディング参照信号に基づく、データを伝送するためのスケジューリンググラントを、前記ＲＮ（１０６）から受信すること（４０７）と、
前記スケジューリンググラントに従って前記ＲＮ（１０６）にデータを伝送すること（４０８）とを含む方法。
【請求項４】
前記ワイヤレスデバイス（１０８）による前記少なくとも１つのサウンディング参照信号の伝送を求める要求を前記ＲＮ（１０６）から受信すること（４０５）をさらに含む、請求項１から３のいずれか一項に記載の方法。
【請求項５】
前記少なくとも１つのサウンディング参照信号を伝送すること（４０６）が、
前記それぞれの少なくとも１つのプリコーダの中の特定のプリコーダでプリコーディングされた第１のサウンディング参照信号を第１の偏波で伝送することと、
前記特定のプリコーダでプリコーディングされた第２のサウンディング参照信号を第２の偏波で伝送することとを含む、請求項１から４のいずれか一項に記載の方法。
【請求項６】
前記サブセットに含まれるプリコーダの数を決定すること（４０１）と、
前記決定したプリコーダの数についての情報を前記ＲＮ（１０６）に伝送すること（４０２）とをさらに含む、請求項１から５のいずれか一項に記載の方法。
【請求項７】
前記サブセットに含まれるプリコーダの数についての情報を前記ＲＮ（１０６）から受信すること（４０３）をさらに含む、請求項１から５のいずれか一項に記載の方法。
【請求項８】
前記サブセットを決定すること（４０４）が、
前記ＲＮ（１０６）から前記ワイヤレスデバイス（１０８）への少なくとも１つの伝送についての測定に基づいて前記プリコーダのサブセットを決定することをさらに含む、請求項１から７のいずれか一項に記載の方法。
【請求項９】
前記サブセットを決定すること（４０４）が、
前記ＲＮ（１０６）から少なくとも１つの伝送を受信することと、
前記受信した少なくとも１つの伝送の受信感知エネルギーパターンと実質的に同じ伝送放射エネルギーパターンを与える少なくとも１つのプリコーダを含むサブセットを決定することとをさらに含む、請求項１から７のいずれか一項に記載の方法。
【請求項１０】
前記サブセットを決定すること（４０４）が、
少なくとも１つの先行するサブセットについての知識に基づいて、またはランダムアクセス手順に基づいて、前記サブセットを決定することをさらに含む、請求項１から９のいずれか一項に記載の方法。
【請求項１１】
前記サブセットを決定すること（４０４）が、
前記サブセットに含まれる前記プリコーダのセットから、前記セットの他のプリコーダによって与えられる受信信号品質より良好な前記ＲＮ（１０６）における受信信号品質を与える第１のプリコーダを決定することと、
前記サブセットに含まれる、前記第１のプリコーダと直交する第２のプリコーダを決定することとをさらに含む、請求項１から１０のいずれか一項に記載の方法。
【請求項１２】
前記サブセットを決定すること（４０４）が、
アンテナインピーダンス、反射アンテナパワー、および／または物理的相互作用の測定に基づいて、前記プリコーダのセット中のプリコーダを前記サブセットから除外すべきであると決定することをさらに含む、請求項１から１１のいずれか一項に記載の方法。
【請求項１３】
前記プリコーダのサブセットの更新が必要であると決定すること（４０９）と、
前記決定に応答して前記サブセットを更新すること（４１２）とをさらに含む、請求項１から１２のいずれか一項に記載の方法。
【請求項１４】
前記サブセットを更新すること（４１２）が、
前記ワイヤレスデバイス（１０８）が前記プリコーダのサブセットの更新が必要であると決定すること（４０９）に応答して、前記プリコーダのサブセットの更新を求める更新要求を前記ＲＮ（１０６）に伝送すること（４１０）をさらに含む、請求項１３に記載の方法。
【請求項１５】
前記サブセットを更新すること（４１２）が、
前記ＲＮ（１０６）から更新応答を受信すること（４１１）をさらに含み、前記サブセットの前記更新（４１２）が、前記ワイヤレスデバイス（１０８）によって、前記ＲＮ（１０６）から前記更新応答を受信したのに応答して実行される、請求項１４に記載の方法。
【請求項１６】
前記サブセットの更新が必要であると決定すること（４０９）が、
前記ＲＮ（１０６）から前記ワイヤレスデバイス（１０８）に前記プリコーダのサブセットを再評価するように命令する更新命令を受信することと、
前記サブセットを再評価することとをさらに含み、前記サブセットを更新すること（４１２）が、
前記再評価に基づいて前記サブセットを更新することをさらに含む、請求項１３に記載の方法。
【請求項１７】
前記サブセットの更新が必要であると決定すること（４０９）が、
再評価完了メッセージを前記ＲＮ（１０６）に伝送することをさらに含む、請求項１６に記載の方法。
【請求項１８】
前記更新命令が、ランダムアクセスコマンドまたはハンドオーバコマンドで受信される、請求項１６または１７に記載の方法。
【請求項１９】
無線ノード（ＲＮ）（１０６）によって実行される、ワイヤレスデバイス（１０８）とのワイヤレス通信のためのプリコーダの選択を実行する方法であって、前記ワイヤレスデバイス（１０８）が、プリコーダのセットで構成され、前記方法が、
前記プリコーダのセットの中のプリコーダのサブセットに含まれるそれぞれの少なくとも１つのプリコーダでプリコーディングされた少なくとも１つのサウンディング参照信号を前記ワイヤレスデバイス（１０８）から受信すること（６０４）と、
前記ＲＮ（１０６）への伝送に使用される選択されたプリコーダを示す信号を前記ワイヤレスデバイス（１０８）に伝送すること（６０６）とを含み、前記選択されたプリコーダが、前記受信した少なくとも１つのサウンディング参照信号に基づいて間接的に選択される方法。
【請求項２０】
無線ノード（ＲＮ）（１０６）によって実行される、ワイヤレスデバイス（１０８）からデータを受信する方法であって、前記ワイヤレスデバイス（１０８）が、プリコーダのセットで構成され、前記方法が、
前記プリコーダのセットの中のプリコーダのサブセットに含まれるそれぞれの少なくとも１つのプリコーダでプリコーディングされた少なくとも１つのサウンディング参照信号を前記ワイヤレスデバイス（１０８）から受信すること（６０４）と、
前記受信した少なくとも１つのサウンディング参照信号のうちの選択した１つに基づく、前記ＲＮ（１０６）にデータを伝送するためのスケジューリンググラントを、前記ワイヤレスデバイス（１０８）に伝送すること（６０６）と、
前記スケジューリンググラントに従って前記ワイヤレスデバイス（１０８）からデータを受信すること（６０７）とを含む方法。
【請求項２１】
前記ワイヤレスデバイス（１０８）による前記少なくとも１つのサウンディング参照信号の伝送を求める要求を前記ワイヤレスデバイス（１０８）に伝送すること（６０３）をさらに含む、請求項１９または２０に記載の方法。
【請求項２２】
前記少なくとも１つのサウンディング参照信号を受信すること（６０４）が、
前記それぞれの少なくとも１つのプリコーダの中の特定のプリコーダでプリコーディングされた第１のサウンディング参照信号を第１の偏波で受信することと、
前記特定のプリコーダでプリコーディングされた第２のサウンディング参照信号を第２の偏波で受信することと、
前記受信した第１および第２のサウンディング参照信号に基づいて前記第１の偏波に対する前記第２の偏波の位相角を決定することとを含む、請求項１９から２１のいずれか一項に記載の方法。
【請求項２３】
前記スケジューリンググラントが、前記受信した少なくとも１つのサウンディング参照信号の受信信号品質に基づく、請求項２０から２２のいずれか一項に記載の方法。
【請求項２４】
前記サブセットに含まれるプリコーダの数についての情報を前記ワイヤレスデバイス（１０８）から受信すること（６０２）をさらに含む、請求項１９から２３のいずれか一項に記載の方法。
【請求項２５】
前記サブセットに含まれるプリコーダの数についての情報を前記ワイヤレスデバイス（１０８）に伝送すること（６０１）をさらに含む、請求項１９から２３のいずれか一項に記載の方法。
【請求項２６】
前記プリコーダのサブセットの更新を求める更新要求を前記ワイヤレスデバイス（１０８）から受信すること（６０８）をさらに含む、請求項１９から２５のいずれか一項に記載の方法。
【請求項２７】
更新応答を前記ワイヤレスデバイス（１０８）に伝送すること（６０９）をさらに含む、請求項２６に記載の方法。
【請求項２８】
前記サブセットを再評価するように前記ワイヤレスデバイス（１０８）に命令する更新命令を前記ワイヤレスデバイス（１０８）に伝送すること（６１０）をさらに含む、請求項１９から２５のいずれか一項に記載の方法。
【請求項２９】
再評価完了メッセージを前記ワイヤレスデバイス（１０８）から受信すること（６１１）をさらに含む、請求項２８に記載の方法。
【請求項３０】
前記更新命令が、ランダムアクセスコマンドまたはハンドオーバコマンドで伝送される、請求項２８または２９に記載の方法。
【請求項３１】
無線ノード（ＲＮ）（１０６）とのワイヤレス通信のためのプリコーダの選択を支援するワイヤレスデバイス（１０８）あって、プリコーダのセットで構成され、
前記プリコーダのセットの中からプリコーダのサブセットを決定し、
前記サブセットに含まれるそれぞれの少なくとも１つのプリコーダでプリコーディングされた少なくとも１つのサウンディング参照信号を前記ＲＮ（１０６）に伝送するように構成されたワイヤレスデバイス（１０８）。
【請求項３２】
前記ＲＮ（１０６）への伝送に使用される選択されたプリコーダを示す信号を前記ＲＮ（１０６）から受信するようにさらに構成され、前記選択されたプリコーダが、前記伝送された少なくとも１つのサウンディング参照信号に基づいて間接的に選択される、請求項３１に記載のワイヤレスデバイス（１０８）。
【請求項３３】
無線ノード（ＲＮ）（１０６）にデータを伝送するワイヤレスデバイス（１０８）であって、プリコーダのセットで構成され、前記プリコーダのセットの各プリコーダが、前記ワイヤレスデバイス（１０８）のアンテナ要素のセットにおける伝送に適用されたときにそれぞれの伝送パターンを提供するように規定され、前記ワイヤレスデバイス（１０８）が、
前記プリコーダのセットの中からプリコーダのサブセットを決定し、
前記サブセットに含まれるそれぞれの少なくとも１つのプリコーダでプリコーディングされた少なくとも１つのサウンディング参照信号を前記ＲＮ（１０６）に伝送し、
前記伝送された少なくとも１つのサウンディング参照信号に基づく、データを伝送するためのスケジューリンググラントを、前記ＲＮ（１０６）から受信し、
前記スケジューリンググラントに従って前記ＲＮ（１０６）にデータを伝送するように構成されたワイヤレスデバイス（１０８）。
【請求項３４】
前記ワイヤレスデバイス（１０８）による前記少なくとも１つのサウンディング参照信号の伝送を求める要求を前記ＲＮ（１０６）から受信するようにさらに構成された、請求項３１から３３のいずれか一項に記載のワイヤレスデバイス（１０８）。
【請求項３５】
前記ワイヤレスデバイス（１０８）が前記少なくとも１つのサウンディング参照信号を前記ＲＮ（１０６）に伝送するように構成されることが、前記ワイヤレスデバイス（１０８）が
前記それぞれの少なくとも１つのプリコーダの中の特定のプリコーダでプリコーディングされた第１のサウンディング参照信号を第１の偏波で伝送し、
前記特定のプリコーダでプリコーディングされた第２のサウンディング参照信号を第２の偏波で伝送するようにさらに構成されることを含む、請求項３１から３４のいずれか一項に記載のワイヤレスデバイス（１０８）。
【請求項３６】
前記サブセットに含まれるプリコーダの数を決定し、
前記決定したプリコーダの数についての情報を前記ＲＮ（１０６）に伝送するようにさらに構成された、請求項３１から３５のいずれか一項に記載のワイヤレスデバイス（１０８）。
【請求項３７】
前記サブセットに含まれるプリコーダの数についての情報を前記ＲＮ（１０６）から受信するようにさらに構成された、請求項３１から３５のいずれか一項に記載のワイヤレスデバイス（１０８）。
【請求項３８】
前記ワイヤレスデバイス（１０８）がプリコーダのサブセットを決定するように構成されることが、前記ワイヤレスデバイス（１０８）が
前記ＲＮ（１０６）から前記ワイヤレスデバイス（１０８）への少なくとも１つの伝送についての測定に基づいて前記プリコーダのサブセットを決定するようにさらに構成されることを含む、請求項３１から３７のいずれか一項に記載のワイヤレスデバイス（１０８）。
【請求項３９】
前記ワイヤレスデバイス（１０８）がプリコーダのサブセットを決定するように構成されることが、前記ワイヤレスデバイス（１０８）が
前記ＲＮ（１０６）から少なくとも１つの伝送を受信し、
前記受信した少なくとも１つの伝送の受信感知エネルギーパターンと実質的に同じ伝送放射エネルギーパターンを与える少なくとも１つのプリコーダを含むサブセットを決定するようにさらに構成されることを含む、請求項３１から３７のいずれか一項に記載のワイヤレスデバイス（１０８）。
【請求項４０】
前記ワイヤレスデバイス（１０８）がプリコーダのサブセットを決定するように構成されることが、前記ワイヤレスデバイス（１０８）が
少なくとも１つの先行するサブセットについての知識に基づいて、またはランダムアクセス手順に基づいて、前記サブセットを決定するようにさらに構成されることを含む、請求項３１から３９のいずれか一項に記載のワイヤレスデバイス（１０８）。
【請求項４１】
前記ワイヤレスデバイス（１０８）がプリコーダのサブセットを決定するように構成されることが、前記ワイヤレスデバイス（１０８）が
前記サブセットに含まれる前記プリコーダのセットから、前記セットの他のプリコーダによって与えられる受信信号品質より良好な前記ＲＮ（１０６）における受信信号品質を与える第１のプリコーダを決定し、
前記サブセットに含まれる、前記第１のプリコーダと直交する第２のプリコーダを決定するようにさらに構成されることを含む、請求項３１から４０のいずれか一項に記載のワイヤレスデバイス（１０８）。
【請求項４２】
前記ワイヤレスデバイス（１０８）がプリコーダのサブセットを決定するように構成されることが、前記ワイヤレスデバイス（１０８）が
アンテナインピーダンス、反射アンテナパワー、および／または物理的相互作用の測定に基づいて、前記プリコーダのセット中のプリコーダを前記サブセットから除外すべきであると決定するようにさらに構成されることを含む、請求項３１から４１のいずれか一項に記載のワイヤレスデバイス（１０８）。
【請求項４３】
前記プリコーダのサブセットの更新が必要であると決定し、
前記決定に応答して前記サブセットを更新するようにさらに構成された、請求項３１から４２のいずれか一項に記載のワイヤレスデバイス（１０８）。
【請求項４４】
前記ワイヤレスデバイス（１０８）が前記サブセットを更新するように構成されることが、前記ワイヤレスデバイス（１０８）が
前記ワイヤレスデバイス（１０８）が前記プリコーダのサブセットの更新が必要であると決定するのに応答して、前記プリコーダのサブセットの更新を求める更新要求を前記ＲＮ（１０６）に伝送するようにさらに構成されることを含む、請求項４３に記載のワイヤレスデバイス（１０８）。
【請求項４５】
前記ワイヤレスデバイス（１０８）が前記サブセットを更新するように構成されることが、前記ワイヤレスデバイス（１０８）が
前記ＲＮ（１０６）から更新応答を受信するようにさらに構成されることを含み、前記サブセットが、前記ＲＮ（１０６）から前記更新応答を受信したのに応答して前記ワイヤレスデバイス（１０８）によって更新される、請求項４４に記載のワイヤレスデバイス（１０８）。
【請求項４６】
前記ワイヤレスデバイス（１０８）が前記サブセットの更新が必要であると決定するように構成されることが、前記ワイヤレスデバイス（１０８）が
前記ワイヤレスデバイス（１０８）に前記サブセットを再評価するように命令する更新命令を前記ＲＮ（１０６）から受信し、
前記サブセットを再評価するようにさらに構成され、
前記再評価に基づいて前記サブセットを更新するようにさらに構成されることによって前記サブセットを更新するように構成されることを含む、請求項４３に記載のワイヤレスデバイス（１０８）。
【請求項４７】
前記ワイヤレスデバイス（１０８）が前記サブセットの更新が必要であると決定するように構成されることが、前記ワイヤレスデバイス（１０８）が
再評価完了メッセージを前記ＲＮ（１０６）に伝送するようにさらに構成されることを含む、請求項４６に記載のワイヤレスデバイス（１０８）。
【請求項４８】
ランダムアクセスコマンドまたはハンドオーバコマンドで前記更新命令を受信するようにさらに構成された、請求項４６または４７に記載のワイヤレスデバイス（１０８）。
【請求項４９】
ワイヤレスデバイス（１０８）とのワイヤレス通信のためのプリコーダの選択を実行する無線ノード（ＲＮ）（１０６）であって、前記ワイヤレスデバイス（１０８）が、プリコーダのセットで構成され、前記ＲＮ（１０６）が、
前記プリコーダのセットの中のプリコーダのサブセットに含まれるそれぞれの少なくとも１つのプリコーダでプリコーディングされた少なくとも１つのサウンディング参照信号を前記ワイヤレスデバイス（１０８）から受信し、
前記ＲＮ（１０６）への伝送に使用される選択されたプリコーダを示す信号を前記ワイヤレスデバイス（１０８）に伝送するように構成され、前記選択されたプリコーダが、前記受信した少なくとも１つのサウンディング参照信号に基づいて間接的に選択される、ＲＮ（１０６）。
【請求項５０】
ワイヤレスデバイス（１０８）からデータを受信する無線ノード（ＲＮ）（１０６）であって、前記ワイヤレスデバイス（１０８）が、プリコーダのセットで構成され、前記ＲＮ（１０６）が、
前記プリコーダのセットの中のプリコーダのサブセットに含まれるそれぞれの少なくとも１つのプリコーダでプリコーディングされた少なくとも１つのサウンディング参照信号を前記ワイヤレスデバイス（１０８）から受信し、
前記受信した少なくとも１つのサウンディング参照信号のうちの選択した１つに基づく、前記ＲＮ（１０６）にデータを伝送するためのスケジューリンググラントを、前記ワイヤレスデバイス（１０８）に伝送し、
前記スケジューリンググラントに従って前記ワイヤレスデバイス（１０８）からデータを受信するように構成される、ＲＮ（１０６）。
【請求項５１】
前記ワイヤレスデバイス（１０８）による前記少なくとも１つのサウンディング参照信号の伝送を求める要求を前記ワイヤレスデバイス（１０８）に伝送するようにさらに構成された、請求項４９または５０に記載のＲＮ（１０６）。
【請求項５２】
前記ＲＮ（１０６）が、
前記それぞれの少なくとも１つのプリコーダの中の特定のプリコーダでプリコーディングされた第１のサウンディング参照信号を第１の偏波で受信し、
前記特定のプリコーダでプリコーディングされた第２のサウンディング参照信号を第２の偏波で受信し、
前記受信した第１および第２のサウンディング参照信号に基づいて前記第１の偏波に対する前記第２の偏波の位相角を決定するようにさらに構成されることによって、前記少なくとも１つのサウンディング参照信号を受信するように構成された、請求項４９から５１のいずれか一項に記載のＲＮ（１０６）。
【請求項５３】
前記スケジューリンググラントが、前記受信した少なくとも１つのサウンディング参照信号の受信信号品質に基づく、請求項５０から５２のいずれか一項に記載のＲＮ（１０６）。
【請求項５４】
前記サブセットに含まれるプリコーダの数についての情報を前記ワイヤレスデバイス（１０８）から受信するようにさらに構成された、請求項４９から５３のいずれか一項に記載のＲＮ（１０６）。
【請求項５５】
前記サブセットに含まれるプリコーダの数についての情報を前記ワイヤレスデバイス（１０８）に伝送するようにさらに構成された、請求項４９から５３のいずれか一項に記載のＲＮ（１０６）。
【請求項５６】
前記プリコーダのサブセットの更新を求める更新要求を前記ワイヤレスデバイス（１０８）から受信するようにさらに構成された、請求項４９から５５のいずれか一項に記載のＲＮ（１０６）。
【請求項５７】
更新応答を前記ワイヤレスデバイス（１０８）に伝送するようにさらに構成された、請求項５６に記載のＲＮ（１０６）。
【請求項５８】
前記サブセットを再評価するように前記ワイヤレスデバイス（１０８）に命令する更新命令を前記ワイヤレスデバイス（１０８）に伝送するようにさらに構成された、請求項４９から５５のいずれか一項に記載のＲＮ（１０６）。
【請求項５９】
再評価完了メッセージを前記ワイヤレスデバイス（１０８）から受信するようにさらに構成された、請求項５８に記載のＲＮ（１０６）。
【請求項６０】
前記更新命令をランダムアクセスコマンドまたはハンドオーバコマンドで伝送するようにさらに構成された、請求項５８または５９に記載のＲＮ（１０６）。
【請求項６１】
少なくとも１つのプロセッサで実行されたときに、前記少なくとも１つのプロセッサに請求項１から１８または請求項１９から３０のいずれか一項に記載の方法を実行させる命令を含む、コンピュータプログラム。
【請求項６２】
請求項６１に記載のコンピュータプログラムを含むキャリアであって、電子信号、光信号、無線信号、またはコンピュータ可読記憶媒体のうちの１つである、キャリア。
【発明の詳細な説明】
【技術分野】
【０００１】
本明細書の実施形態は、一般に、ワイヤレスデバイス、無線ノード、ならびにワイヤレスデバイスおよび無線ノードにおける方法に関する。特に、本明細書の実施形態は、ワイヤレス通信のためのプリコーダの選択に関する。
【背景技術】
【０００２】
端末などの通信デバイスは、例えばユーザ機器（ＵＥ）、移動端末、ワイヤレスデバイス、ワイヤレス端末、および／または移動局とも呼ばれる。端末は、セルラ無線システムまたはセルラネットワークとも呼ばれることがあるワイヤレス通信ネットワークおよび／またはセルラ通信システムにおいてワイヤレス通信することができる。この通信は、例えば２つの端末間、端末と普通の電話機の間、および／または端末とサーバの間で、無線アクセスネットワーク（ＲＡＮ）および場合によってはワイヤレス通信ネットワーク内に含まれる１つまたは複数のコアネットワークを介して、実行することができる。
【０００３】
端末は、さらにいくつか例を挙げると、移動電話、セルラ電話、ラップトップ、またはワイヤレス機能を備えたサーフプレートと呼ばれることもある。本文脈における端末は、例えば、別の端末またはサーバなど別のエンティティとＲＡＮを介して音声および／またはデータを通信することができる、携帯可能、ポケット収納可能、手持ち型、コンピュータ構成型、または車載型の移動デバイスである可能性がある。
【０００４】
セルラ通信ネットワークは、複数のセル領域に分割される地理学的領域をカバーし、各セル領域は、使用するテクノロジおよび用語法に応じて、例えば「ｅＮＢ」、「ｅノードＢ」、「ノードＢ」、「Ｂノード」、またはＢＴＳ（ベーストランシーバ局）などと呼ばれることもある、例えば無線基地局（ＲＢＳ）などの基地局などの無線ノードによってサーブされる。基地局は、伝送パワーと、それによるセルサイズとに基づいて、例えばマクロｅノードＢ、ホームｅノードＢ、またはピコ基地局など異なるクラスのものであってよい。セルとは、基地局サイトにおいて基地局によって無線カバレッジが提供される地理学的領域である。基地局サイトに位置する１つの基地局は、１つまたは複数のセルにサーブすることができる。さらに、各基地局は、１つまたは複数の通信テクノロジをサポートすることができる。基地局または無線ノードは、無線周波数で動作するエアインタフェースを介して、基地局または無線ノードのレンジ内のワイヤレスデバイスとも呼ばれる通信デバイスと通信する。本開示の文脈では、ダウンリンク（ＤＬ）という表現は、例えば基地局などの無線ノードからワイヤレスデバイスへの伝送経路について使用される。アップリンク（ＵＬ）という表現は、その反対方向、すなわちワイヤレスデバイスから無線ノードへの伝送経路について使用される。無線ノードは、いくつかの状況、例えばデバイスツーデバイス通信を可能にするシステムでは、別のワイヤレスデバイスであることもある。
【０００５】
アンテナビーム形成は、アンテナ要素アレイを使用して、伝送放射エネルギーパターンまたは受信感知エネルギーパターンをビームに成形する技術である。アンテナ要素は、通常は、例えば波長を基準として、すなわち例えば無線通信などのワイヤレス通信に使用される搬送周波数を基準として、近接した間隔になっている。これらのビームを使用して、伝送信号エネルギーおよび／または受信信号エネルギーを集中させ、かつ／あるいは伝送信号エネルギーおよび／または受信信号エネルギーを特定の方向にステアリングすることができる。図１は、線形アンテナアレイを使用して、ビームをアンテナアレイの配向と比較して角度ωだけ軸外ししてステアリングする、古典的な例を示す図である。２つのアンテナ要素からの波形がその方向に強め合うように重なり合うためには、経路距離差Δによる２つの信号の位相回転差は、２πの整数倍に対応していなければならない。この要件により、ステアリング角、アレイ要素距離、および波長の関数である位相角また位相遅延φの式が得られる。
【０００６】
図１は、１次元線形アレイを使用した基本的なビーム形成を概略的に示す図であり、ここで、ｄはアレイ要素距離、ωは所望のビームステアリング角、所要の位相遅延
2019195160.tif 000003
、λは波長である。通常は、ｄ≒λ／２である。
【０００７】
本明細書で使用する「ビーム」という用語は、複数のアンテナ要素の組合せと、各アンテナ要素において信号に適用される対応する複素数値重みとを使用して生成される特定の空間的伝送放射パターンまたは空間的受信感度パターンを指すものとして使用される。さらに、本明細書では、伝送放射エネルギーパターンおよび空間的伝送線放射パターンは、伝送パターンと呼ばれることもあり、受信感知エネルギーパターンおよび空間的受信感度パターンは、受信パターンと呼ばれることもある。
【０００８】
このようなパターンの生成の１つの例は、図１に示すように等間隔のアンテナ要素を有する線形アレイを用いた古典的なビーム形成の場合であるが、他の例もある。一般的な場合には、各ビームは、信号を伝送または受信するために使用される、複素アンテナ重みとも呼ばれる特定の複素数値重みの組合せに対応する
【０００９】
Ｎ個のアンテナ要素がある場合には、プリコーディング重みベクトル、またはビーム形成ベクトルは、各アンテナ要素ごとに１つずつ、計Ｎ個の複素数値重みとして得られる。プリコーディング重みベクトルは、単にプリコーダとも呼ばれる。例えばシステムまたは標準仕様で規定される可能なプリコーダのセットなど、使用することができる可能なプリコーダのセットは、プリコーダコードブックとも呼ばれるが、ビームまたはビームコードブックという用語が使用されることもある。さらに、一般的な場合には、図１のようにアンテナ要素をλ／２の間隔で線形に配列する必要はない。
【００１０】
空間多重の場合には、各アンテナ要素からのレイヤの一次結合を伝送することによって、複数の空間的ストリームまたはレイヤを重ね合わせることがある。この一次結合は、レイヤごとに１つのベクトルの、プリコーディングベクトルとも呼ばれるプリコーディング重みベクトルのセットによって形成されるプリコーディング行列によって与えられる。
【００１１】
アップリンクデータ伝送は、ネットワーク中でＬＴＥならびにその他の多くの標準でスケジューリングされる。その場合、ネットワークは、変調方式、コーディングレート、時間／周波数リソースのセット、および伝送パワーなど、特定のパラメータのセットを使用してアップリンクで伝送するように、ワイヤレスデバイスに命令する。アップリンクビーム形成の場合には、使用するビーム方向、またはプリコーディング重みベクトルは、ネットワークによって提供される。したがって、コードブックは有限サイズであり、ネットワークは、プリコーディングコードブック中のＮ個のプリコーディング重みの特定のエントリを参照することができる。
【００１２】
プリコーダコードブックの設計は、例えば図１に概略的に示すような線形かつ等間隔の配列など、特定のアンテナ配列を仮定して行われるが、全方向性の互いに全く同じである複数のアンテナ要素を仮定することもできる。このようなコードブックは、それを設計した対象である配置では良好な選択肢である可能性が最も高いが、他の任意のアンテナ配列では良好な選択肢ではないこともある。したがって、コードブックが設計された対象であるアンテナ配列は、全てのワイヤレスデバイス、例えばＵＥに義務づける必要があり、それにより実装の自由度が有意に制限されることになるか、あるいは、コードブックは、全ての関連するアンテナ配列の間の兼ね合いを図ったものである必要があり、それによりビーム形成を使用することの性能利得が制限される可能性があるか、あるいは、コードブックのプリコーダエントリの数が、可能な異なる多数のアンテナ配列をサポートするために管理できないほど多数になる。
【発明の概要】
【００１３】
現況技術では、例えば無線ノード（ＲＮ）など通信ネットワークがワイヤレスデバイスのアップリンク伝送をスケジューリングするときにプリコーディングコードブックについての知識を有している必要があるので、ネットワークが、ワイヤレスデバイスのアンテナ配列についての知識を有していなければならないか、あるいはコードブックが設計された対象であるアンテナ配列が、全てのワイヤレスデバイスで義務づけられる必要があり、それにより実装の自由度が有意に制限される。あるいは、上述のように、コードブックは、全ての可能なアンテナ配列の間の兼ね合いを図ったものであり、この場合には、ビーム形成を使用することの性能利得が制限される。したがって、本明細書の実施形態の目的は、実装の自由度およびビーム形成を使用することの性能利得を改善する、ワイヤレス通信ネットワークの性能を改善する方法を提供することである。
【００１４】
本明細書の実施形態の第１の態様によれば、上記の目的は、ワイヤレスデバイスによって実行される、無線ノード（ＲＮ）とのワイヤレス通信のためのプリコーダの選択を支援する方法によって実現される。ワイヤレスデバイスは、プリコーダのセットで構成される。
【００１５】
この方法では、ワイヤレスデバイスは、プリコーダのセットの中からプリコーダのサブセットを決定し、このサブセットに含まれるそれぞれの少なくとも１つのプリコーダでプリコーディングされた少なくとも１つのサウンディング参照信号をＲＮに伝送する。
【００１６】
本明細書の実施形態の第２の態様によれば、上記の目的は、ＲＮとのワイヤレス通信のためのプリコーダの選択を支援するワイヤレスデバイスによって実現される。ワイヤレスデバイスは、プリコーダのセットで構成される。ワイヤレスデバイスは、プリコーダのセットの中からプリコーダのサブセットを決定し、このサブセットに含まれるそれぞれの少なくとも１つのプリコーダでプリコーディングされた少なくとも１つのサウンディング参照信号をＲＮに伝送するように構成される。
【００１７】
本明細書の実施形態の第３の態様によれば、上記の目的は、ワイヤレスデバイスによって実行される、ＲＮにデータを伝送する方法によって実現される。ワイヤレスデバイスは、プリコーダのセットで構成され、このプリコーダのセットの各プリコーダは、ワイヤレスデバイスのアンテナ要素のセットにおける伝送に適用されたときにそれぞれの伝送パターンを提供するように規定される。
【００１８】
この方法では、ワイヤレスデバイスは、プリコーダのセットの中からプリコーダのサブセットを決定する。
【００１９】
さらに、ワイヤレスデバイスは、サブセットに含まれるそれぞれの少なくとも１つのプリコーダでプリコーディングされた少なくとも１つのサウンディング参照信号をＲＮに伝送する。
【００２０】
さらに、ワイヤレスデバイスは、伝送された少なくとも１つのサウンディング参照信号に基づく、データを伝送するためのスケジューリンググラントを、ＲＮから受信する。
【００２１】
さらに、ワイヤレスデバイスは、スケジューリンググラントに従ってＲＮにデータを伝送する。
【００２２】
本明細書の第４の態様によれば、上記の目的は、ＲＮにデータを伝送するワイヤレスデバイスによって実現される。ワイヤレスデバイスは、プリコーダのセットで構成され、このプリコーダのセットの各プリコーダは、ワイヤレスデバイスのアンテナ要素のセットにおける伝送に適用されたときにそれぞれの伝送パターンを提供するように規定される。
【００２３】
ワイヤレスデバイスは、プリコーダのセットの中からプリコーダのサブセットを決定するように構成される。
【００２４】
さらに、ワイヤレスデバイスは、サブセットに含まれるそれぞれの少なくとも１つのプリコーダでプリコーディングされた少なくとも１つのサウンディング参照信号をＲＮに伝送するように構成される。
【００２５】
さらに、ワイヤレスデバイスは、伝送された少なくとも１つのサウンディング参照信号に基づく、データを伝送するためのスケジューリンググラントを、ＲＮから受信するように構成される。
【００２６】
さらに、ワイヤレスデバイスは、スケジューリンググラントに従ってＲＮにデータを伝送するように構成される。
【００２７】
本明細書の実施形態の第５の態様によれば、上記の目的は、無線ノード（ＲＮ）によって実行される、ワイヤレスデバイスとのワイヤレス通信のためのプリコーダの選択を実行する方法によって実現される。ワイヤレスデバイスは、プリコーダのセットで構成される。
【００２８】
この方法では、ＲＮは、プリコーダのセットの中のプリコーダのサブセットに含まれるそれぞれの少なくとも１つのプリコーダでプリコーディングされた少なくとも１つのサウンディング参照信号をワイヤレスデバイスから受信する。
【００２９】
さらに、ＲＮは、ＲＮへの伝送に使用される選択されたプリコーダを示す信号をワイヤレスデバイスに伝送し、ここで、選択されたプリコーダは、受信した少なくとも１つのサウンディング参照信号に基づいて間接的に選択される。
【００３０】
本明細書の実施形態の第６の態様によれば、上記の目的は、ワイヤレスデバイスとのワイヤレス通信のためのプリコーダの選択を実行するＲＮによって実現される。ワイヤレスデバイスは、プリコーダのセットで構成される。
【００３１】
ＲＮは、プリコーダのセットの中のプリコーダのサブセットに含まれるそれぞれの少なくとも１つのプリコーダでプリコーディングされた少なくとも１つのサウンディング参照信号をワイヤレスデバイスから受信するように構成される。
【００３２】
さらに、ＲＮは、ＲＮへの伝送に使用される選択されたプリコーダを示す信号をワイヤレスデバイスに伝送するように構成され、ここで、選択されたプリコーダは、受信した少なくとも１つのサウンディング参照信号に基づいて間接的に選択される。
【００３３】
本明細書の実施形態の第７の態様によれば、上記の目的は、ＲＮによって実行される、ワイヤレスデバイスからデータを受信する方法によって実現される。ワイヤレスデバイスは、プリコーダのセットで構成される。
【００３４】
この方法では、ＲＮは、プリコーダのセットの中のプリコーダのサブセットに含まれるそれぞれの少なくとも１つのプリコーダでプリコーディングされた少なくとも１つのサウンディング参照信号をワイヤレスデバイスから受信する。
【００３５】
さらに、ＲＮは、受信した少なくとも１つのサウンディング参照信号のうちの選択した１つに基づく、ＲＮにデータを伝送するためのスケジューリンググラントを、ワイヤレスデバイスに伝送する。
【００３６】
さらに、ＲＮは、スケジューリンググラントに従ってワイヤレスデバイスからデータを受信する。
【００３７】
本明細書の実施形態の第８の態様によれば、上記の目的は、ワイヤレスデバイスからデータを受信するＲＮによって実現される。ワイヤレスデバイスは、プリコーダのセットで構成される。
【００３８】
ＲＮは、プリコーダのセットの中のプリコーダのサブセットに含まれるそれぞれの少なくとも１つのプリコーダでプリコーディングされた少なくとも１つのサウンディング参照信号をワイヤレスデバイスから受信するように構成される。
【００３９】
さらに、ＲＮは、受信した少なくとも１つのサウンディング参照信号のうちの選択した１つに基づく、ＲＮにデータを伝送するためのスケジューリンググラントを、ワイヤレスデバイスに伝送するように構成される。
【００４０】
さらに、ＲＮは、スケジューリンググラントに従ってワイヤレスデバイスからデータを受信するように構成される。
【００４１】
本明細書の実施形態の第９の態様によれば、上記の目的は、少なくとも１つのプロセッサで実行されたときに、その少なくとも１つのプロセッサにワイヤレスデバイスにおける方法を実行させる命令を含む、コンピュータプログラムによって実現される
【００４２】
本明細書の実施形態の第１０の態様によれば、上記の目的は、少なくとも１つのプロセッサで実行されたときに、その少なくとも１つのプロセッサにＲＮにおける方法を実行させる命令を含む、コンピュータプログラムによって実現される
【００４３】
本明細書の実施形態の第１１の態様によれば、上記の目的は、コンピュータプログラムを含むキャリアによって実現され、ここで、このキャリアは、電子信号、光信号、無線信号、またはコンピュータ可読記憶媒体のうちの１つである。
【００４４】
ワイヤレスデバイスは、プリコーダのセットの中からプリコーダのサブセットを決定し、そのサブセットに含まれるそれぞれの少なくとも１つのプリコーダでプリコーディングされた少なくとも１つのサウンディング参照信号をＲＮに伝送するので、ＲＮは、ワイヤレスデバイスのアンテナ配列またはコードブックについての知識を有していなくてもよく、それにより、実装の自由度、およびビーム形成を使用することの性能利得が向上する。これにより、ワイヤレス通信ネットワークの性能が改善される。
【００４５】
本明細書の実施形態の利点は、ワイヤレス通信ネットワーク、例えばＲＮが、ワイヤレスデバイスにおける実際のアンテナ配列についての知識を有していなくても、アップリンクビーム形成が可能であることである。
【００４６】
本明細書の実施形態の別の利点は、ＲＮが、ワイヤレスデバイスにおけるアンテナ配列を知らなくてもよい、すなわちワイヤレスデバイスにおけるアンテナ配列についての詳細な情報を有していなくてもよいので、ワイヤレスデバイスにおける特にアンテナ配列の実装に関する柔軟性が提供され、特定のアンテナ配列で最適化されたコードブックを記憶しておく必要がないことである。
【００４７】
本明細書の実施形態のさらに別の利点は、ＲＮが、可能なアップリンクビームの全てまたは多数をサウンディングする必要がなく、可能なアップリンクビームのうちのＵＥ導出サブセット、すなわちワイヤレスデバイスが導出したサブセットのみをサウンディングすればよく、これにより、多数のサウンディング参照信号によるオーバヘッドが減少することである。これにより、関連するプリコーダをサウンディングする手順がより高速になる。
【００４８】
本明細書の実施形態の例について、添付の図面を参照してさらに詳細に説明する。
【図面の簡単な説明】
【００４９】
【図１】１次元線形アンテナアレイを使用したビーム形成を概略的に示す図である。
【図２】通信ネットワークの実施形態を概略的に示す図である。
【図３】通信ネットワークの実施形態のフローチャートとシグナリング方式の概略結合図である。
【図４ａ】ワイヤレスデバイスにおける方法の実施形態を示すフローチャートである。
【図４ｂ】ワイヤレスデバイスにおける方法の実施形態を示すフローチャートである。
【図４ｃ】ワイヤレスデバイスにおける方法の実施形態を示すフローチャートである。
【図５】ワイヤレスデバイスの実施形態を示す概略ブロック図である。
【図６ａ】無線ノードにおける方法の実施形態を示すフローチャートである。
【図６ｂ】無線ノードにおける方法の実施形態を示すフローチャートである。
【図６ｃ】無線ノードにおける方法の実施形態を示すフローチャートである。
【図７】無線ノードの実施形態を示す概略ブロック図である。
【発明を実施するための形態】
【００５０】
本明細書の実施形態は、ワイヤレス通信のためのプリコーダの選択に関する。
【００５１】
以下、本明細書の実施形態について、いくつかの例示的な実施形態によってさらに詳細に示す。なお、これらの実施形態は、相互に排他的なものではないことに留意されたい。１つの実施形態の構成要素が、別の実施形態に存在するものと暗黙に想定されることもあり、当業者なら、それらの構成要素が他の例示的な実施形態でどのように使用され得るかを理解するであろう。
【００５２】
図２に概略的に示すように、本明細書の実施形態は、ワイヤレス通信ネットワークまたはセルラ通信ネットワークなどの通信ネットワーク１００に関する。通信ネットワーク１００は、ＬＴＥネットワーク、ＷＣＤＭＡネットワーク、ＧＳＭネットワーク、任意の３ＧＰＰセルラネットワーク、Ｗｉｍａｘ、あるいはその他の任意のワイヤレス通信ネットワークまたはシステムとすることができる。
【００５３】
通信ネットワーク１００は、システムアーキテクチャエボリューション（ＳＡＥ）ネットワークなどのＬＴＥコアネットワーク、ＷＣＤＭＡコアネットワーク、ＧＳＭコアネットワーク、任意の３ＧＰＰセルラコアネットワーク、Ｗｉｍａｘコアネットワーク、あるいはその他の任意のワイヤレス通信コアネットワークまたはシステムなどのコアネットワーク１０２を含むことができる。
【００５４】
通信ネットワーク１００は、また、例えばＬＴＥコアネットワークノード、ＷＣＤＭＡコアネットワークノード、ＧＳＭコアネットワークノード、任意の３ＧＰＰセルラコアネットワークノード、Ｗｉｍａｘコアネットワークノード、あるいはその他の任意のワイヤレス通信コアネットワークまたはシステムのノードなどのコアネットワークノード１０４を含むこともできる。
【００５５】
さらに、ワイヤレス通信ネットワーク１００は、ワイヤレスデバイス１０８などのワイヤレスデバイスが無線ノード１０６によってサーブされる地理学的領域１０６ａ内に位置するときにそれらのワイヤレスデバイスとワイヤレス通信するための無線ノード（ＲＮ）１０６を含む。
【００５６】
無線ノード１０６は、例えばｅＮＢとも呼ばれるｅノードＢ、ホームｅノードＢまたはノードＢ、あるいは通信ネットワーク１００などのワイヤレス通信ネットワーク内の例えばユーザ機器またはマシン型通信デバイスなどのワイヤレスデバイスにサーブすることができるその他の任意のネットワークノードなどの無線基地局などの伝送ポイントとすることができる。デバイスツーデバイス（Ｄ２Ｄ）通信の場合には、ＲＮ１０６は、ワイヤレスデバイスであることもある。このような実施形態では、ワイヤレスデバイス１０８を第１のワイヤレスデバイスと呼び、ＲＮ１０６を第２のワイヤレスデバイスと呼ぶこともあり、あるいはその逆の呼び方をすることもある。
【００５７】
本明細書ではユーザ機器またはＵＥと呼ばれることもある例えばワイヤレスデバイス１０８などのワイヤレスデバイスは、ワイヤレス通信ネットワーク１００内で動作する。ワイヤレスデバイスは、例えば、ユーザ機器、移動端末またはワイヤレス端末、移動電話、例えばラップトップ、携帯情報端末（ＰＤＡ）、またはサーフプレートと呼ばれることもあるタブレットコンピュータなどワイヤレス機能を備えたコンピュータ、あるいはワイヤレス通信ネットワーク１００内で無線リンクを介して通信することができるその他の任意の無線ネットワークユニットとすることができる。本文書で使用されるユーザ機器という用語は、マシンツーマシン（Ｍ２Ｍ）デバイスなどその他のワイヤレスデバイスも、それらのデバイスにはユーザがいないこともあるが、カバーすることに留意されたい。
【００５８】
本明細書のいくつかの実施形態によれば、ワイヤレスデバイス１０８は、プリコーダのセットＭで構成され、このセットは、｜Ｍ｜と称されることもあるサイズΩを有することができる。換言すれば、このセットは、Ω個のプリコーダを含むことができる。これらのプリコーダは、本明細書で説明するように潜在的プリコーダと呼ばれることもある。各プリコーダは、いくつかの実施形態では、長さＮを有することができ、他の実施形態では、Ｎはプリコーダの長さの上限である。Ｎは、ワイヤレスデバイス１０８に適用可能なアンテナ構成に基づく、例えば制御可能アンテナ要素などのアンテナ要素の数でもある。各プリコーダが、異なるビーム方向および／または偏波状態に対応することもある。したがって、プリコーダまたはビームのセットは、ワイヤレスデバイス１０８の実施態様で規定される、またはワイヤレスデバイス１０８の実施態様に特有であることがある。量Ｎは、異なるプリコーダがゼロ値エントリを含むことがある、すなわち１つまたは複数のアンテナ要素のプリコーディング重みがプリコーダのセットのうちのいくつかのプリコーダについてゼロに設定されることがあるので、伝送または受信に参加している物理アンテナ要素の実際の数の上限とみなされることがある。したがって、いくつかの場合には、利用可能なアンテナ要素のサブセットのみが使用されることもあるが、それはワイヤレスデバイス１０８の実施態様による。アンテナ要素のサブセットを選択するプリコーダは、例えば、アナログアンテナスイッチを使用して実装することができる。
【００５９】
ワイヤレスデバイス１０８は、さらに、例えばビーム方向など、これらのプリコーダのサブセットを規定または決定し、アップリンクデータ伝送は、この規定または決定されたサブセット内でのみスケジューリングすることができる。プリコーダまたはビーム方向のサブセットは、ワイヤレスデバイス１０８で自律的に導出することができる。例えば、サブセットは、ダウンリンク測定に基づくことがあり、アップリンクとダウンリンクの間の例えば伝送の到着方向などに関する長期的相互関係などの相互関係を利用することができる。例えばｅノードＢ（ｅＮＢ）などの無線ノード（ＲＮ）１０６、またはＤ２Ｄ通信の場合の第２のワイヤレスデバイスは、決定されたサブセット内の異なるプリコーダによって重み付けされた、すなわち異なるビームまたはビーム方向の１つまたは複数の、あるいはいくつかの実施形態では複数の、サウンディング参照信号を伝送するように、ワイヤレスデバイス１０８を構成して、どの１つまたは複数のビームでアップリンクデータ伝送をスケジューリングするかをさらに決定することができる。
【００６０】
本明細書の実施形態の利点は、ＲＮ１０６が、ワイヤレスデバイス１０８におけるアンテナ配列を知る、すなわちワイヤレスデバイス１０８におけるアンテナ配列についての詳細な情報を有する必要がなく、それにより、特にワイヤレスデバイス１０８におけるアンテナ配列に関してワイヤレスデバイス１０８の実施態様の柔軟性を向上させることができ、また特定のアンテナ配列を記憶して最適化されたコードブックを指定する必要がないことである。さらに、ＲＮ１０６は、ワイヤレスデバイス１０８から最も関連性の高いビームのアップリンクチャネル測定を取得することができる。
【００６１】
次に、図３に示すフローチャートとシグナリング方式の結合図を参照して、通信ネットワーク１００における、ワイヤレスデバイス１０８とＲＮ１０６の間のワイヤレス通信のためのプリコーダの選択を実行する方法について説明する。
【００６２】
さらに、いくつかの実施形態により、通信ネットワーク１００における、ワイヤレスデバイス１０８からＲＮ１０６にデータを伝送し、ＲＮ１０６でデータを受信する方法についても、図３のフローチャートとシグナリング方式の結合図を参照して説明する。上述のように、ワイヤレスデバイス１０８は、プリコーダのセットで構成される。プリコーダのセット中の各プリコーダは、ワイヤレスデバイス１０８のアンテナ要素のセットで伝送に適用されたときにそれぞれの伝送パターンを提供するように規定することができる。
【００６３】
これらの方法は、以下のアクションのうちの１つまたは複数を含む。アクションは、任意の適当な順序で行うことができること、および組み合わせることができることを理解されたい。
【００６４】
アクション３０１
いくつかの実施形態では、ワイヤレスデバイス１０８は、プリコーダのサブセットに含まれるプリコーダの数を決定する。ワイヤレスデバイス１０８は、サブセットに含まれる潜在的プリコーダの数を制限するためにこれを実行することがある。「潜在的プリコーダ」という表現は、選択および伝送に利用可能なプリコーダを意味する。
【００６５】
各プリコーダは、プリコーディング重みのセットを含むことがあり、各プリコーディング重みは、ワイヤレスデバイス１０８の少なくとも１つのアンテナ要素に対応することがある。
【００６６】
アクション３０１は、後述するアクション４０１に関係する。
【００６７】
アクション３０２
いくつかの実施形態では、ワイヤレスデバイス１０８が上記のアクション３０１で述べたようにサブセットに含まれるプリコーダの数を決定した場合に、ワイヤレスデバイス１０８は、決定した数または決定したプリコーダの数に関する情報をＲＮ１０６に伝送することがある。これは、サブセットのサイズについてＲＮ１０６に通知するために行われることがある。ただし、ＲＮ１０６は、サブセットの正確なサイズ、すなわちサブセットに含まれるプリコーダの正確な数を知らなくてもよいことを理解されたい。いくつかの実施形態では、ワイヤレスデバイス１０８は、サブセットのサイズの上限に関する情報を伝送する。
【００６８】
いくつかの実施形態では、アクション３０２は、後述するアクション３０４の後に実行される。そのような実施形態では、ワイヤレスデバイス１０８は、プリコーダのセットの中からプリコーダのサブセットを決定し、その後、決定した数、または決定したプリコーダの数に関する情報をＲＮ１０６に伝送する。例えば、サブセットが５つのプリコーダを含む場合には、ワイヤレスデバイス１０８は、５という数字、または５つのプリコーダに関する情報、例えば各プリコーダそれぞれの指標をＲＮ１０６に伝送することがある。ただし、サブセットが５つのプリコーダを含むが、そのうちの３つしか一意的でない場合には、ワイヤレスデバイス１０８は、その３つの一意的なプリコーダに関する情報のみを伝送することもある。
【００６９】
アクション３０２は、後述するアクション４０２に関係する。
【００７０】
アクション３０３
いくつかの代替の実施形態では、ＲＮ１０６が、サブセットに含まれるプリコーダの数をワイヤレスデバイス１０８に伝送する。したがって、このような実施形態では、ワイヤレスデバイス１０８は、サブセットに含まれるプリコーダの数をそれ自体で決定する代わりに、ＲＮ１０６からその数を受信する。他の実施形態では、ＲＮ１０６は、プリコーダの数に関する情報、例えば各プリコーダそれぞれの指標を伝送することもあり、その情報から、ワイヤレスデバイス１０８は、サブセットに含まれるプリコーダの数を導出することができる。
【００７１】
アクション３０３は、後述するアクション４０３および６０１に関係する。
【００７２】
アクション３０４
ワイヤレスデバイス１０８は、プリコーダのセットの中からプリコーダのサブセットを決定する。ワイヤレスデバイス１０８は、いくつかの実施形態では、ＲＮ１０６から伝送されるサブセットに含まれるプリコーダの数を受信したのに応答して、またはＲＮ１０６から伝送されるサブセットに含まれるプリコーダの数に関する情報を受信したときに、このサブセットを決定することがある。
【００７３】
さらに、前述のように、ワイヤレスデバイス１０８は、さらに別の実施形態では、例えばダウンリンク測定と、アップリンクとダウンリンクの間の例えば伝送の到着方向に関する例えば長期的相互関係などの相互関係とに基づいて、プリコーダのサブセットを自律的に決定することもある。
【００７４】
さらに、プリコーダに連続的な順序を有するように番号を付けることもでき、あるいは各プリコーダにそれぞれの指標を割り当てることもできる。指標は、ワイヤレスデバイス１０８が割り当てることができる。上述のように、ワイヤレスデバイスは、いくつかの実施形態では、サブセット中のプリコーダに割り当てられる指標のセットをＲＮ１０６から受信することもある。
【００７５】
アクション３０４は、後述するアクション４０４に関係する。
【００７６】
アクション３０５
いくつかの実施形態では、ＲＮ１０６は、少なくとも１つのサウンディング参照信号（ＳＲＳ）の伝送を求める要求をワイヤレスデバイス１０８に伝送する。ＲＮ１０６は、伝送される少なくとも１つのＳＲＳの異なるＳＲＳをプリコーディングするために使用される様々な対応するプリコーダを使用してチャネル品質を査定するために、この少なくとも１つのＳＲＳの伝送を要求することがある。この少なくとも１つのＳＲＳは、いくつかの実施形態では、複数のＳＲＳを含むことがある。換言すれば、この少なくとも１つのＳＲＳは、いくつかの実施形態では、複数のサウンディング参照信号を含むことがある。
【００７７】
アクション３０５は、後述するアクション４０５および６０３に関係する。
【００７８】
アクション３０６
ワイヤレスデバイス１０８は、サブセットに含まれるそれぞれの少なくとも１つのプリコーダでプリコーディングされた少なくとも１つのＳＲＳをＲＮ１０６に伝送する。ワイヤレスデバイス１０８は、上記のアクション３０５で述べた要求に応答してこの少なくとも１つのＳＲＳを伝送することもある。いくつかの実施形態では、この少なくとも１つのＳＲＳが複数のＳＲＳを含む場合に、その複数のＳＲＳのそれぞれは、サブセットに含まれる複数のプリコーダのそれぞれによってプリコーディングされる。換言すれば、このような実施形態では、複数のサウンディング参照信号のそれぞれは、サブセットに含まれる複数のプリコーダのそれぞれによってプリコーディングされる。
【００７９】
アクション３０６は、後述するアクション４０６および６０４に関係する。
【００８０】
アクション３０７
ＲＮ１０６は、受信した少なくとも１つのＳＲＳに基づいてサブセットに含まれるプリコーダを選択することができる。プリコーダは、ＲＮ１０６が、ワイヤレスデバイス１０８によって選択されたプリコーダでプリコーディングされたＳＲＳを選択することによって、間接的または暗黙的に選択することができる。
【００８１】
アクション３０７は、後述するアクション６０５に関係する。
【００８２】
アクション３０８
いくつかの実施形態では、ＲＮ１０６は、ワイヤレスデバイス１０８からＲＮ１０６への伝送のスケジューリングを決定し、このスケジューリングは、選択されたプリコーダについての情報を含むこともあり、あるいは選択されたプリコーダに関する情報に基づくこともある。
【００８３】
アクション３０９
ワイヤレスデバイス１０８にＲＮ１０６への伝送に使用されるプリコーダについて通知するために、ＲＮ１０６は、ＲＮ１０６への伝送に使用されるために選択されたプリコーダを示す信号を伝送することができ、この信号は、ワイヤレスデバイス１０８によって受信される。いくつかの実施形態では、ＲＮ１０６は、これに加えて、または別法として、スケジューリンググラントをワイヤレスデバイス１０８に伝送することがあり、このスケジューリンググラントは、選択されたプリコーダに基づいている。選択されたプリコーダは、受信した少なくとも１つのＳＲＳに基づいて間接的に選択することができる。この少なくとも１つのＳＲＳは、いくつかの実施形態では、複数のＳＲＳ、すなわち複数のサウンディング参照信号を含むことがある。選択されたプリコーダを示す信号は、いくつかの実施形態では、スケジューリンググラントを含むことがある。そのような実施形態では、この信号は、少なくともスケジューリンググラントがワイヤレスデバイス１０８によって選択されたプリコーダでプリコーディングされたＳＲＳに基づくという点で、選択されたプリコーダを示すものとみなすことができる。この信号は、選択されたプリコーダの指標、またはＳＲＳがワイヤレスデバイス１０８によって伝送されＲＮ１０６によって受信された順序に関係する番号など他の情報を搬送して、ＳＲＳの順序番号が選択されたプリコーダをワイヤレスデバイス１０８に対して示すようにすることによって、選択されたプリコーダを示すこともある。
【００８４】
アクション３０９は、後述するアクション４０７および６０６に関係する。
【００８５】
アクション３１０
いくつかの実施形態では、ワイヤレスデバイス１０８は、受信したスケジューリンググラントに従ってＲＮ１０６にデータを伝送する。したがって、ワイヤレスデバイス１０８は、選択されたプリコーダを使用してＲＮ１０６にデータを伝送する。
【００８６】
アクション３１０は、後述するアクション４０８および６０７に関係する。
【００８７】
アクション３１１
いくつかの実施形態では、ワイヤレスデバイス１０８とＲＮ１０６とが互いに対して相対的に移動したとき、または無線伝搬環境が変化したときに、ワイヤレスデバイス１０８は、プリコーダのサブセットの更新が必要であると決定することがある。
【００８８】
アクション３１１は、後述するアクション４０９に関係する。
【００８９】
アクション３１２
いくつかの実施形態では、ワイヤレスデバイス１０８がアクション３１１で述べたようにサブセットの更新が必要であると決定した場合に、ワイヤレスデバイス１０８は、プリコーダのサブセットの更新を求める更新要求をＲＮ１０６に伝送することがある。これは、更新についてＲＮ１０６に通知するために、あるいは更新を実行する許可または命令をＲＮ１０６から受信するために行われることがある。これについては、以下のアクション４１０でさらに詳細に説明する。
【００９０】
アクション３１２は、後述するアクション４０９、４１０、および６０８に関係する。
【００９１】
アクション３１３
上記のアクション３１２で述べたようにワイヤレスデバイス１０８から伝送された更新要求を受信したのに応答して、ＲＮ１０６は、更新応答を伝送することがある。いくつかの実施形態では、更新応答は、ワイヤレスデバイス１０８が更新を実行する許可または命令を含む。
【００９２】
アクション３１３は、後述するアクション４１１および６０９に関係する。
【００９３】
アクション３１４
いくつかの実施形態では、アクション３１１、３１３、および３１３のうちの少なくとも１つの代替として、ＲＮ１０６は、プリコーダのサブセットを再評価するようにワイヤレスデバイス１０８に命令する更新命令をワイヤレスデバイス１０８に伝送することがある。例えば、これは、ＲＮ１０６が、ワイヤレスデバイス１０８とＲＮ１０６とが互いに対して相対的に移動した、または無線伝搬環境が変化したと決定したときに行われることがある。
【００９４】
アクション３１４は、後述するアクション４０９および６１０に関係する。
【００９５】
アクション３１５
ＲＮ１０６から更新命令を受信したのに応答して、ワイヤレスデバイス１０８は、プリコーダのサブセットを再評価して、サブセットを更新する必要があるか否かを決定することがある。さらに、ワイヤレスデバイス１０８は、再評価が完了したときに、再評価完了メッセージをＲＮ１０６に伝送することがある。
【００９６】
アクション３１５は、後述するアクション４０９、６１０、および６１１に関係する。
【００９７】
アクション３１６
いくつかの実施形態では、ワイヤレスデバイス１０８は、プリコーダのサブセットを更新する。プリコーダのサブセットは、アクション３１５が実行される実施形態では、プリコーダのサブセットの再評価に基づいてワイヤレスデバイス１０８が更新することができる。
【００９８】
アクション３１６は、後述するアクション４１２に関係する。
【００９９】
アクション３１７
ワイヤレスデバイス１０８は、プリコーダのサブセットが更新されたことをＲＮ１０６に対して示すことがある。いくつかの実施形態では、ワイヤレスデバイス１０８は、サブセットの更新が完了したときに更新完了メッセージをＲＮ１０６に伝送し、それによりＲＮ１０６は更新について通知される。
【０１００】
アクション３１７は、後述するアクション４１２および６１１に関係する。
【０１０１】
次に、ワイヤレスデバイス１０８における、ＲＮ１０６とのワイヤレス通信のためのプリコーダの選択を支援する方法について、図４ａから図４ｃに示すフローチャートを参照して説明する。ワイヤレスデバイス１０８は、プリコーダのセットで構成される。
【０１０２】
さらに、いくつかの実施形態により、ワイヤレスデバイス１０８におけるＲＮ１０６にデータを伝送する方法についても、図４ａから図４ｃに示すフローチャートを参照して説明する。ワイヤレスデバイス１０８は、プリコーダのセットで構成される。プリコーダのセットの各プリコーダは、ワイヤレスデバイス１０８のアンテナ要素のセットで伝送に適用されたときに、それぞれの伝送パターンを提供するように規定されることがある。
【０１０３】
これらの方法は、以下のアクションのうちの１つまたは複数を含む。アクションは、任意の適当な順序で行うことができること、および組み合わせることができることを理解されたい。
【０１０４】
アクション４０１
いくつかの実施形態では、例えば図４ｃを参照すると、ワイヤレスデバイス１０８は、サブセットに含まれるプリコーダの数を決定する。前述のように、ワイヤレスデバイス１０８は、サブセットに含まれる潜在的プリコーダの数を制限するためにこれを実行することがある。
【０１０５】
アクション４０２
ワイヤレスデバイス１０８が上記のアクション４０１で述べたようにプリコーダの数を決定したときに、ワイヤレスデバイス１０８は、決定したプリコーダの数についての情報をＲＮ１０６に伝送することがある。決定したプリコーダの数についての情報は、いくつかの実施形態では、決定した数であることもある。他の実施形態では、プリコーダの数についての情報は、例えば、アクション３０３に関連して上述したようにサブセット中のプリコーダに割り当てられる指標のセットであることもある。したがって、ワイヤレスデバイス１０８は、プリコーダのサブセットのサイズについてＲＮ１０６に通知するために、決定したプリコーダの数についての情報をＲＮ１０６に伝送することがある。
【０１０６】
ワイヤレスデバイス１０８は、決定した数についての情報をいくつかの方法で伝送することができる。例えば、ワイヤレスデバイス１０８は、この数についての情報を、媒体アクセス制御（ＭＡＣ）情報要素で、無線リソース制御（ＲＲＣ）メッセージで、ならびに／あるいは例えば明示的なＬ１シグナリングおよび／またはＬ１／Ｌ２制御シグナリングなどレイヤ１（Ｌ１）および／またはレイヤ２（Ｌ２）シグナリングによって、伝送することができる。
【０１０７】
アクション４０２は、後述するアクション６０２に関係する。
【０１０８】
アクション４０３
いくつかの実施形態では、例えば図４ｃを参照すると、ワイヤレスデバイス１０８は、アクション４０２の代替として、サブセットに含まれるプリコーダの数についての情報をＲＮ１０６から受信することがある。
【０１０９】
ワイヤレスデバイス１０８は、この数についての情報をいくつかの方法で受信することができる。例えば、ワイヤレスデバイス１０８は、この数についての情報を、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、受信することができる。
【０１１０】
アクション４０３は、後述するアクション６０１に関係する。
【０１１１】
アクション４０４
ワイヤレスデバイス１０８は、例えば図４ａから図４ｃを参照すると、プリコーダのセットの中からプリコーダのサブセットを決定する。
【０１１２】
ワイヤレスデバイス１０８は、ＲＮ１０６からワイヤレスデバイス１０８への少なくとも１つの伝送についての測定に基づいてプリコーダのサブセットを決定することがある。
【０１１３】
ワイヤレスデバイス１０８がサブセットを決定することは、ワイヤレスデバイス１０８が、ＲＮ１０６からの少なくとも１つの伝送を受信し、受信した少なくとも１つの伝送の受信感知エネルギーパターンと実質的に同じ伝送放射エネルギーパターンを与える少なくとも１つのプリコーダを含む、すなわち、受信した少なくとも１つの伝送の受信感知エネルギーパターンに実質的に等しい伝送放射エネルギーパターンを与える少なくとも１つのプリコーダを含むサブセットを決定することを含むことがある。換言すれば、この少なくとも１つのプリコーダは、受信した少なくとも１つの伝送のアンテナ受信パターンに対応するアンテナ伝送パターンを与える。
【０１１４】
ワイヤレスデバイス１０８は、さらに、少なくとも１つの先行するサブセットについての知識に基づいて、またはランダムアクセス手順に基づいて、サブセットを決定することもある。例えば、ワイヤレスデバイス１０８は、このサブセットが、その少なくとも１つの先行するサブセットまたはその一部を含むべきであると決定することがある。さらに、ワイヤレスデバイス１０８は、ワイヤレスデバイス１０８が１つまたは複数のプリコーダを使用して並列または逐次伝送でランダムアクセスプリアンブルをＲＮ１０６に伝送したランダムアクセス手順に基づいて、このサブセットを決定することがある。ランダムアクセス方式に応じて、例えばランダムアクセス方式の詳細に応じて、ワイヤレスデバイス１０８は、プリアンブルの伝送のうちのどの伝送にＲＮ１０６が応答したかを決定することができる。それにより、ワイヤレスデバイス１０８は、サブセットに含まれることになる少なくとも１つの妥当に良好なプリコーダについての知識を受け取ることになる。
【０１１５】
これに加えて、または別法として、ワイヤレスデバイス１０８は、プリコーダのセットから、そのセットの他のプリコーダによって与えられる受信信号品質より良好なＲＮ１０６における受信信号品質を与える、サブセットに含まれることになる第１のプリコーダを決定し、第１のプリコーダに対して直交する、サブセットに含まれることになる第２のプリコーダを決定することにより、サブセットを決定することもある。いくつかの実施形態では、第２のプリコーダは、第１のプリコーダに対して直交に近い、または実質的に直交する。さらに、第３のプリコーダを第１および第２のプリコーダに対して直交するように決定し、第４のプリコーダを第２および第３のプリコーダに対して直交するように決定することなどもできる。
【０１１６】
本明細書で使用する「直交」という表現は、２つのプリコーディングベクトルｗ１とｗ２が、その内積ｗ１＊ｗ２＝０である場合に直交するという意味である。ここで、ｗ＊（すなわち上付き文字＊が付されているｗ）は、ベクトルｗの複素共役転置を意味する。いくつかの実施形態によれば、「直交」という表現は、本明細書では、「直交に近い」および実質的に直交をカバーするとも解釈され、その場合には、２つのプリコーディングベクトルの間の内積は、ゼロより大きく、しきい値より小さいものとなることがある。内積は、２つのプリコーディングベクトルの間のスカラ積と呼ばれることもある。
【０１１７】
信号品質は、ＲＮ１０６における受信信号品質であることがある。受信信号品質は、ＲＮ１０６におけるチャネル品質に関係する。例えば、既知の信号がチャネルに入力された場合には、受信信号品質は、チャネル品質を反映する。
【０１１８】
いくつかの実施形態では、ワイヤレスデバイス１０８がサブセットを決定することは、ワイヤレスデバイス１０８が、アンテナインピーダンス、反射アンテナパワー、および／または物理的相互作用の測定に基づいて、プリコーダのセット中のプリコーダをサブセットから除外すべきと決定することをさらに含むこともある。換言すれば、ワイヤレスデバイス１０８は、アンテナインピーダンス、反射アンテナパワー、および／または物理的相互作用の測定に基づいてプリコーダのセット中の有用でないプリコーダを決定することによって、サブセットを決定することがある。いくつかの実施形態によれば、ワイヤレスデバイス１０８は、近接度センサを利用して、どのプリコーダまたは物理的アンテナもしくはアンテナ要素のセットが、例えば遮る手もしくはその他の物体、またはワイヤレスデバイス１０８と物理的に接触する人体の一部などの物理的相互作用によって有用でなくなっているかを決定することがある。いくつかの実施形態では、ワイヤレスデバイス１０８は、アンテナインピーダンスまたは反射パワーの測定値を使用して、有用でないアンテナ要素を決定する。
【０１１９】
アクション４０５
いくつかの実施形態では、例えば図４ｃを参照すると、ワイヤレスデバイス１０８は、ワイヤレスデバイス１０８による少なくとも１つのサウンディング参照信号の伝送を求める要求をＲＮ１０６から受信することがある。この少なくとも１つのサウンディング参照信号は、いくつかの実施形態では、複数のサウンディング参照信号を含むことがある。換言すれば、ワイヤレスデバイス１０８は、サブセットに含まれる少なくとも１つ、または複数のプリコーダについてのサウンディング参照信号の伝送を求める要求をＲＮ１０６から受信することがある。
【０１２０】
ワイヤレスデバイス１０８は、この要求をいくつかの方法で受信することができる。例えば、ワイヤレスデバイス１０８は、ＭＡＣ情報要素で、ＲＲＣメッセージで、ならび／あるいは例えば明示的なＬ１シグナリングおよび／またはＬ１／Ｌ２制御シグナリングなどＬ１および／またはＬ２シグナリングによって、この要求を受信することができる。
【０１２１】
アクション４０５は、後述するアクション６０３に関係する。
【０１２２】
アクション４０６
例えば図４ａから図４ｃを参照すると、ワイヤレスデバイス１０８は、サブセットに含まれるそれぞれの少なくとも１つのプリコーダでプリコーディングされた少なくとも１つのサウンディング参照信号をＲＮ１０６に伝送する。これは、伝送される少なくとも１つのサウンディング参照信号のそれぞれが、サブセットに含まれる少なくとも１つのプリコーダのうちのそれぞれによってプリコーディングされることを意味する。
【０１２３】
換言すれば、ワイヤレスデバイス１０８は、サブセットに含まれる少なくとも１つのプリコーダについてのサウンディング参照信号をＲＮ１０６に伝送することがある。サウンディング参照信号は、その少なくとも１つのプリコーダをワイヤレスデバイス１０８のアンテナ要素のセットにおけるそのサウンディング参照信号の伝送に適用することによって、その少なくとも１つのプリコーダでプリコーディングすることができる。
【０１２４】
いくつかの実施形態では、例えばワイヤレスデバイス１０８が偏波共用アンテナ要素を含むときには、ワイヤレスデバイス１０８は、それぞれの少なくとも１つのプリコーダの中の特定のプリコーダでプリコーディングされた第１のサウンディング参照信号を第１の偏波で伝送し、その特定のプリコーダでプリコーディングされた第２のサウンディング参照信号を第２の偏波で伝送することによって、この少なくとも１つのサウンディング参照信号を伝送することがある。これにより、ＲＮ１０６は、第１の偏波に対する第２の偏波の位相角、例えばいくつかの実施形態では最適位相角を決定することができる。「最適位相角」という表現は、偏波どうしの間の漏話を最小限に抑える位相角を意味する。例えば、これは、ＲＮ１０６が同じプリコーダを使用して２つの異なるワイヤレスデバイスから異なる偏波のビームを受信する場合に当てはまることがあるが、ＲＮ１０６が同じプリコーダを使用して同じワイヤレスデバイスから異なる偏波のビームを受信する場合にも当てはまることがある。
【０１２５】
ワイヤレスデバイス１０８は、物理レイヤシグナリング、すなわちＬ１シグナリング、例えば明示的なＬ１シグナリングによって、サウンディング参照信号を伝送することがある。この少なくとも１つのサウンディング参照信号は、いくつかの実施形態では、複数のサウンディング参照信号を含むことがあり、伝送される複数のサウンディング参照信号のそれぞれは、サブセットに含まれる複数のプリコーダのそれぞれによってプリコーディングされる。
【０１２６】
アクション４０６は、後述するアクション６０４に関係する。
【０１２７】
アクション４０７
図４ａおよび図４ｃに示すように、ワイヤレスデバイス１０８は、ＲＮ１０６への伝送に使用されるものとして選択されたプリコーダを示す信号をＲＮ１０６から受信することがあり、ここで、この選択されたプリコーダは、伝送された少なくとも１つのサウンディング参照信号に基づいて間接的に選択される。別法として、またはこれに加えて、図４ｂおよび図４ｃに示すように、ワイヤレスデバイス１０８は、データを伝送するためのスケジューリンググラントをＲＮ１０６から受信することがあり、このスケジューリンググラントは、伝送された少なくとも１つのサウンディング参照信号に基づく。スケジューリンググラントは、ＲＮ１０６が少なくとも１つのサウンディング参照信号を受信したときにＲＮ１０６で受信した少なくとも１つのサウンディング参照信号のうちの１つを選択し、選択したサウンディング参照信号についてのＲＮ１０６における受信状態に適合されたスケジューリンググラントを伝送することができるという点で、伝送された少なくとも１つのサウンディング参照信号に基づいている。アクション４０６で述べたように、伝送された少なくとも１つのサウンディング参照信号は、それぞれの少なくとも１つのプリコーダでプリコーディングされ、その少なくとも１つのプリコーダの中から、ＲＮ１０６は、ＲＮ１０６で受信した少なくとも１つのサウンディング参照信号のうちの１つを選択することによって、ＲＮ１０６への伝送に使用するものとして、選択したサウンディング参照信号をプリコーディングするために使用されたプリコーダも間接的に選択する。これにより、伝送されるスケジューリンググラントは、選択されたプリコーダに基づく、または選択されたプリコーダに適合されているとみなすことができる。
【０１２８】
「スケジューリンググラントは選択されたプリコーダに基づく」という表現は、スケジューリンググラントが、ワイヤレスデバイス１０８がＲＮ１０６への伝送のために使用すべきプリコーダに関する情報を含むことを意味するものと理解されたい。
【０１２９】
さらに、「スケジューリンググラント」、「スケジューリング」、および「スケジューリング割当て」という表現は、本明細書では交換可能に使用されていることがある。
【０１３０】
例えば、ワイヤレスデバイス１０８は、この信号を、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、受信することができる。選択されたプリコーダを示す信号は、いくつかの実施形態では、スケジューリンググラントを含むことがある。この少なくとも１つのサウンディング参照信号は、いくつかの実施形態では、複数のサウンディング参照信号を含むことがある。
【０１３１】
アクション４０７は、後述するアクション６０６に関係する。
【０１３２】
アクション４０８
図４ｂおよび図４ｃに示すように、ワイヤレスデバイス１０８は、スケジューリンググラントに従ってデータをＲＮ１０６に伝送する。
【０１３３】
アクション４０８は、後述するアクション６０７に関係する。
【０１３４】
アクション４０９
いくつかの実施形態では、例えば図４ｃを参照すると、ワイヤレスデバイス１０８は、プリコーダのサブセットの更新が必要または有益であると決定することがある。これは、ワイヤレスデバイス１０８および／またはＲＮ１０６が互いに対して相対的に移動した場合、あるいは無線伝搬環境に変化がある場合に当てはまることがある。これに加えて、または別法として、ワイヤレスデバイス１０８は、既定または所定の期間が経過したときに、プリコーダのサブセットの更新が必要または有益であると決定することもある。このように、サブセットは、周期的な時間間隔で更新されることも、または非周期的な時間間隔で更新されることもある。
【０１３５】
いくつかの代替の実施形態では、ワイヤレスデバイス１０８は、ワイヤレスデバイス１０８にプリコーダのサブセットを再評価するように命令する更新命令をＲＮ１０６から受信し、この命令を受信したのに応答してサブセットを再評価することによって、サブセットの更新が必要または有益であると決定することもある。例えば、これは、ＲＮ１０６が、無線状態が変化した、例えば実質的に変化したと決定した場合に当てはまることがある。そのような実施形態では、ワイヤレスデバイス１０８が再評価を完了したときに、ワイヤレスデバイス１０８は、さらに、再評価完了メッセージをＲＮ１０６に伝送することがある。
【０１３６】
例えば、ワイヤレスデバイス１０８は、この更新命令を、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、受信することができる。さらに、ワイヤレスデバイス１０８は、ランダムアクセスコマンドまたはハンドオーバコマンドでこの更新命令を受信することもある。ランダムアクセスコマンドは、いくつかの実施形態では、初期ランダムアクセスコマンドであることがある。
【０１３７】
ワイヤレスデバイス１０８は、さらに、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、再評価完了メッセージを伝送することもある。
【０１３８】
アクション４１０
いくつかの実施形態では、例えば図４ｃを参照すると、例えばワイヤレスデバイス１０８が上記のアクション４０９で述べたようにサブセットの更新が必要であると決定したときに、ワイヤレスデバイス１０８は、プリコーダのサブセットを更新することを求める更新要求をＲＮ１０６に伝送することがある。
【０１３９】
ワイヤレスデバイス１０８は、サブセットの更新が必要または有益であることをＲＮ１０６に通知するために更新要求をＲＮ１０６に伝送することもある。これにより、ＲＮ１０６は、サブセットの更新に備えることができる。ただし、ワイヤレスデバイス１０８は、いくつかの実施形態では、サブセットの更新を実行するための許可または命令をＲＮ１０６から受信するために、ＲＮ１０６に更新要求を伝送することもある。いくつかの実施形態では、ワイヤレスデバイス１０８は、ＲＮ１０６が更新されたプリコーダのサブセットに含まれる１つまたは複数のプリコーダについての１つまたは複数のサウンディング参照信号を送信する要求をワイヤレスデバイス１０８に伝送することができるように、ＲＮ１０６に更新要求を伝送する。いくつかの実施形態では、ＲＮ１０６は、更新されたプリコーダのサブセットに含まれる複数のプリコーダについての複数のサウンディング参照信号を送信する要求をワイヤレスデバイス１０８に伝送することがある。
【０１４０】
ワイヤレスデバイス１０８は、更新要求でタイミング指示を伝送することもある。タイミング指示は、サブセットの更新が実行される、またはサブセットの更新が実行された時点を示すことがある。
【０１４１】
例えば、ワイヤレスデバイス１０８は、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、更新要求を伝送することもある。
【０１４２】
アクション４１０は、後述するアクション６０８に関係する。
【０１４３】
アクション４１１
いくつかの実施形態では、例えば図４ｃを参照すると、ワイヤレスデバイス１０８は、ＲＮ１０６から更新応答を受信することがある。更新応答は、伝送された更新要求に応答して受信されることがある。以下のアクション４１２で述べるように、ワイヤレスデバイス１０８は、更新応答に応答してプリコーダのサブセットを更新することがある。
【０１４４】
更新応答は、サブセットの更新を実行する許可または命令を含むことがある。更新応答は、タイミング指示を含むこともある。タイミング指示は、サブセットの更新が実行される時点を示すことがある。
【０１４５】
例えば、ワイヤレスデバイス１０８は、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、更新応答を受信することもある。
【０１４６】
アクション４１１は、後述するアクション６０９に関係する。
【０１４７】
アクション４１２
例えば図４ｃを参照すると、ワイヤレスデバイス１０８は、プリコーダのサブセットを更新することがある。
【０１４８】
いくつかの実施形態では、ワイヤレスデバイス１０８は、上記のアクション４０９で述べた決定に応答して、サブセットを更新する。
【０１４９】
いくつかの代替の実施形態では、ワイヤレスデバイス１０８は、やはり上記のアクション４０９で述べたように再評価に基づいてサブセットを更新する。
【０１５０】
さらに、ワイヤレスデバイス１０８は、サブセットが更新されたことをＲＮ１０６に対して示すことがある。さらに、ワイヤレスデバイスは、サブセットが更新された時点をＲＮ１０６に対して示すこともある。いくつかの実施形態では、ワイヤレスデバイス１０８は、サブセットが更新されたときに、更新完了メッセージをＲＮ１０６に伝送する。更新完了メッセージは、サブセットが更新された時点に関する情報を含むことがある。例えば、ワイヤレスデバイス１０８は、ＭＡＣ情報要素で、ＲＲＣメッセージで、ならびに／あるいは例えば明示的なＬ１シグナリングおよび／またはＬ１／Ｌ２制御シグナリングなどＬ１および／またはＬ２シグナリングによって、更新完了メッセージを伝送することもある。
【０１５１】
ＲＮ１０６とのワイヤレス通信のためのプリコーダの選択を支援する方法を実行するために、ワイヤレスデバイス１０８は、図５に示す配列を含むことがある。前述のように、ワイヤレスデバイス１０８は、プリコーダのセットで構成される。
【０１５２】
さらに、いくつかの実施形態によれば、ＲＮ１０６にデータを伝送する方法を実行するために、ワイヤレスデバイス１０８は、図５に示す配列を含むことがある。前述のように、ワイヤレスデバイス１０８は、プリコーダのセットで構成される。さらに、プリコーダのセットの各プリコーダは、ワイヤレスデバイス１０８のアンテナ要素のセットにおける伝送に適用されたときにそれぞれの伝送パターンを提供するように規定されることがある。
【０１５３】
いくつかの実施形態では、ワイヤレスデバイス１０８は、１つまたは複数のワイヤレスデバイス、ＲＮ１０６などの１つまたは複数の無線ノード、および１つまたは複数のネットワークノードと通信するように構成された入力および／または出力インタフェース５００を含む。入力および／または出力インタフェース５００は、ワイヤレス受信機（図示せず）およびワイヤレス伝送機（図示せず）を含むことがある。
【０１５４】
ワイヤレスデバイス１０８は、例えばプリコーダのセットの中からプリコーダのサブセットを決定するように構成された決定モジュール５０１によって、プリコーダのセットの中からプリコーダのサブセットを決定するように構成される。決定モジュール５０１は、ワイヤレスデバイス１０８のプロセッサ５０６によって実装されることもある。プロセッサ５０６については、以下でさらに詳細に説明する。
【０１５５】
いくつかの実施形態では、ワイヤレスデバイス１０８は、例えばサブセットに含まれるプリコーダの数を決定するように構成された決定モジュール５０１によって、サブセットに含まれるプリコーダの数を決定するようにさらに構成される。
【０１５６】
ワイヤレスデバイス１０８は、例えばＲＮ１０６からワイヤレスデバイス１０８への少なくとも１つの伝送についての測定に基づいてプリコーダのサブセットを決定するように構成された決定モジュール５０１によって、ＲＮ１０６からワイヤレスデバイス１０８への少なくとも１つの伝送についての測定に基づいてプリコーダのサブセットを決定するようにさらに構成されることがある。
【０１５７】
いくつかの実施形態では、ワイヤレスデバイス１０８は、例えばＲＮ１０６から受信される少なくとも１つの伝送の受信感知エネルギーパターンと実質的に同じ伝送放射エネルギーパターンを与える少なくとも１つのプリコーダを含む、すなわちＲＮ１０６から受信される少なくとも１つの伝送の受信感知エネルギーパターンと実質的に等しい伝送放射エネルギーパターンを与える少なくとも１つのプリコーダを含むサブセットを決定するように構成された決定モジュール５０１によって、ＲＮ１０６から受信される少なくとも１つの伝送の受信感知エネルギーパターンと実質的に同じ伝送放射エネルギーパターンを与える少なくとも１つのプリコーダを含む、すなわちＲＮ１０６から受信される少なくとも１つの伝送の受信感知エネルギーパターンと実質的に等しい伝送放射エネルギーパターンを与える少なくとも１つのプリコーダを含むサブセットを決定するようにさらに構成される。
【０１５８】
ワイヤレスデバイス１０８は、さらに、例えば少なくとも１つの先行するサブセットについての知識に基づいて、またはランダムアクセス手順に基づいてサブセットを決定するように構成された決定モジュール５０１によって、少なくとも１つの先行するサブセットについての知識に基づいて、またはランダムアクセス手順に基づいてサブセットを決定するように構成されることがある。
【０１５９】
いくつかの実施形態では、ワイヤレスデバイス１０８は、さらに、例えばプリコーダのセットから、そのセットの他のプリコーダによって与えられる受信信号品質より良好なＲＮ１０６における受信信号品質を与える、サブセットに含まれることになる第１のプリコーダを決定し、第１のプリコーダに対して直交する、サブセットに含まれることになる第２のプリコーダを決定するように構成された決定モジュール５０１によって、プリコーダのセットから、そのセットの他のプリコーダによって与えられる受信信号品質より良好なＲＮ１０６における受信信号品質を与える、サブセットに含まれることになる第１のプリコーダを決定し、第１のプリコーダに対して直交する、サブセットに含まれることになる第２のプリコーダを決定するようにさらに構成される。
【０１６０】
ワイヤレスデバイス１０８は、さらに、例えばアンテナインピーダンス、反射アンテナパワー、および／または物理的相互作用の測定に基づいてプリコーダのセット中のプリコーダをサブセットから除外すべきと決定するように構成された決定モジュール５０１によって、アンテナインピーダンス、反射アンテナパワー、および／または物理的相互作用の測定に基づいてプリコーダのセット中のプリコーダをサブセットから除外すべきと決定するようにさらに構成されることがある。
【０１６１】
いくつかの実施形態では、ワイヤレスデバイス１０８は、さらに、例えばプリコーダのサブセットの更新が必要または有益であると決定するように構成された決定モジュール５０１によって、プリコーダのサブセットの更新が必要または有益であると決定するように構成される。
【０１６２】
ワイヤレスデバイス１０８は、例えばサブセットに含まれるそれぞれの少なくとも１つのプリコーダでプリコーディングされた少なくとも１つのサウンディング参照信号をＲＮ１０６に伝送するように構成された伝送モジュール５０２によって、サブセットに含まれるそれぞれの少なくとも１つのプリコーダでプリコーディングされた少なくとも１つのサウンディング参照信号をＲＮ１０６に伝送するように構成される。伝送モジュール５０２は、ワイヤレスデバイス１０８のワイヤレス伝送機またはプロセッサ５０６によって実装されることがある。
【０１６３】
さらに、ワイヤレスデバイスは、例えば受信したスケジューリンググラントに従ってＲＮ１０６にデータを伝送するように構成された伝送モジュール５０２によって、受信したスケジューリンググラントに従ってＲＮ１０６にデータを伝送するように構成される。
【０１６４】
いくつかの実施形態では、ワイヤレスデバイス１０８が例えば偏波共用アンテナ要素を含む場合に、ワイヤレスデバイス１０８はＲＮ１０６に、例えばそれぞれの少なくとも１つのプリコーダの中の特定のプリコーダでプリコーディングされた第１のサウンディング参照信号を第１の偏波で伝送し、その特定のプリコーダでプリコーディングされた第２のサウンディング参照信号を第２の偏波で伝送するように構成された伝送モジュール５０２によって、それぞれの少なくとも１つのプリコーダの中の特定のプリコーダでプリコーディングされた第１のサウンディング参照信号を第１の偏波で伝送し、その特定のプリコーダでプリコーディングされた第２のサウンディング参照信号を第２の偏波で伝送するように構成される。
【０１６５】
いくつかの実施形態では、ワイヤレスデバイス１０８がサブセットに含まれるプリコーダの数を決定したときに、ワイヤレスデバイス１０８は、さらに、例えば決定したプリコーダの数についての情報をＲＮ１０６に伝送するように構成された伝送モジュール５０２によって、決定したプリコーダの数についての情報をＲＮ１０６に伝送するように構成されることがある。
【０１６６】
ワイヤレスデバイス１０８は、さらに、例えばプリコーダのサブセットの更新を求める更新要求をＲＮ１０６に伝送するように構成された伝送モジュール５０２によって、プリコーダのサブセットの更新を求める更新要求をＲＮ１０６に伝送するように構成されることがある。更新要求は、ワイヤレスデバイス１０８が、例えばプリコーダのサブセットの更新が必要または有益であると決定するように構成された決定モジュール５０１によってプリコーダのサブセットの更新が必要または有益であると決定したのに応答して、伝送されることがある。更新要求は、プリコーダのサブセットの更新を求める要求を含む、またはプリコーダのサブセットの更新を求める要求に関係することがある。さらに、ワイヤレスデバイス１０８は、例えばサブセットが更新されたことを示す指示をＲＮ１０６に伝送するように構成された伝送モジュール５０２によって、サブセットが更新されたことを示す指示をＲＮ１０６に伝送するように構成されることがある。この指示は、サブセットの更新の時点を示すこともある。ワイヤレスデバイス１０８は、例えば更新完了メッセージでこの指示を伝送するように構成された伝送モジュール５０２によって、更新完了メッセージでこの指示を伝送するように構成されることがある。
【０１６７】
以下で述べるように、ワイヤレスデバイス１０８は、ＲＮ１０６からの更新命令に応答してプリコーダのサブセットを再評価することがある。そのような実施形態では、ワイヤレスデバイス１０８は、さらに、例えば再評価完了メッセージをＲＮ１０６に伝送するように構成された伝送モジュール５０２によって、再評価完了メッセージをＲＮ１０６に伝送するように構成されることがある。
【０１６８】
ワイヤレスデバイス１０８は、例えばＲＮ１０６への伝送に使用されるものとして選択されたプリコーダを示す信号をＲＮ１０６から受信するように構成された受信モジュール５０３によって、ＲＮ１０６への伝送に使用されるものとして選択されたプリコーダを示す信号をＲＮ１０６から受信するように構成されることがあり、ここで、この選択されたプリコーダは、伝送された少なくとも１つのサウンディング参照信号に基づいて間接的に選択される。受信モジュール５０３は、ワイヤレスデバイス１０８のワイヤレス受信機またはプロセッサ５０６によって実装されることがある。
【０１６９】
別法として、またはこれに加えて、ワイヤレスデバイス１０８は、例えばデータを伝送するためのスケジューリンググラントをＲＮ１０６から受信するように構成された受信モジュール５０３によって、データを伝送するためのスケジューリンググラントをＲＮ１０６から受信するように構成されることがあり、このスケジューリンググラントは、受信した少なくとも１つのサウンディング参照信号に基づく。受信したスケジューリンググラントは、選択されたプリコーダに基づく、または適合されているとみなすこともできるが、これは、ＲＮ１０６で受信した少なくとも１つのサウンディング参照信号のうちの１つを選択することにより、ＲＮ１０６も、ＲＮ１０６への伝送のためにワイヤレスデバイス１０８が使用するように選択したサウンディング参照信号をプリコーディングするためにワイヤレスデバイス１０８が使用したプリコーダを間接的に選択するからである。この伝送は、データ伝送であることがある。スケジューリンググラントは、いくつかの実施形態では、選択されたプリコーダを示す信号に含まれる、またはこの信号によって搬送されることがある。
【０１７０】
いくつかの実施形態では、ワイヤレスデバイスは、さらに、例えばワイヤレスデバイス１０８による少なくとも１つのサウンディング参照信号の伝送を求める要求をＲＮ１０６から受信するように構成された受信モジュール５０３によって、ワイヤレスデバイス１０８による少なくとも１つのサウンディング参照信号の伝送を求める要求をＲＮ１０６から受信するように構成される。
【０１７１】
サブセットに含まれるプリコーダの数をそれ自体で決定する代わりに、ワイヤレスデバイス１０８は、さらに、例えばサブセットに含まれるプリコーダの数についての情報をＲＮ１０６から受信するように構成された受信モジュール５０３によって、サブセットに含まれるプリコーダの数についての情報をＲＮ１０６から受信するように構成されることがある。
【０１７２】
いくつかの実施形態では、ワイヤレスデバイス１０８は、さらに、例えば決定モジュール５０１に関連して上述したようにプリコーダのサブセットを決定するために使用されることがある少なくとも１つの伝送をＲＮ１０６から受信するように構成された受信モジュール５０３によって、決定モジュール５０１に関連して上述したようにプリコーダのサブセットを決定するために使用されることがある少なくとも１つの伝送をＲＮ１０６から受信するように構成される。
【０１７３】
いくつかの実施形態では、ワイヤレスデバイス１０８は、さらに、例えば更新応答をＲＮ１０６から受信するように構成された受信モジュール５０３によって、更新応答をＲＮ１０６から受信するように構成されることがある。ワイヤレスデバイス１０８は、ＲＮ１０６に伝送された更新要求に応答して、更新応答を受信することがある。前述のように、更新応答は、サブセットの更新を実行する許可または命令を含むことがある。更新応答は、タイミング指示を含むこともある。タイミング指示は、サブセットの更新が実行される時点を示すことがある。
【０１７４】
さらに、ワイヤレスデバイス１０８は、例えばサブセットを再評価するようにワイヤレスデバイス１０８に命令する更新命令をＲＮ１０６から受信するように構成された受信モジュール５０３によって、サブセットを再評価するようにワイヤレスデバイス１０８に命令する更新命令をＲＮ１０６から受信するように構成されることがある。いくつかの実施形態では、ワイヤレスデバイス１０８は、ランダムアクセスコマンドまたはハンドオーバコマンドで更新命令を受信するように構成される。更新命令は、タイミング指示を含むことがある。タイミング指示は、サブセットの更新が実行される時点を示すことがある。
【０１７５】
いくつかの実施形態では、ワイヤレスデバイス１０８は、例えばプリコーダのサブセットを更新するように構成された更新モジュール５０４によって、プリコーダのサブセットを更新するように構成される。更新モジュール５０４は、ワイヤレスデバイス１０８のプロセッサ５０６によって実装されることがある。
【０１７６】
上述のように、ワイヤレスデバイス１０８は、プリコーダのサブセットの更新が必要または有益であると決定するように構成されることがある。したがって、ワイヤレスデバイス１０８は、例えばこの決定に応答してサブセットを更新するように構成された更新モジュール５０４によって、この決定に応答してサブセットを更新するように構成されることがある。ワイヤレスデバイス１０８は、さらに、受信モジュール５０３に関連して上述したようにＲＮ１０６から更新応答を受信したのに応答してサブセットを更新するように構成されることもある。
【０１７７】
いくつかの実施形態では、ワイヤレスデバイス１０８は、さらに、例えばサブセットの再評価に基づいてプリコーダのサブセットを更新するように構成された更新モジュール５０４によって、サブセットの再評価に基づいてプリコーダのサブセットを更新するように構成されることもある。上述のように、ワイヤレスデバイス１０８は、サブセットを再評価するようにワイヤレスデバイス１０８に命令する更新命令を、ＲＮ１０６から受信することがある。したがって、ワイヤレスデバイス１０８は、受信した更新命令に応答してサブセットを再評価することがある。
【０１７８】
ワイヤレスデバイス１０８は、また、データを記憶する手段も含むことがある。いくつかの実施形態では、ワイヤレスデバイス１０８は、データを記憶するように構成されたメモリ５０５を含む。データは、処理済みまたは未処理のデータ、および／あるいはそのデータに関する情報であることがある。メモリ５０５は、１つまたは複数のメモリユニットを含むことがある。さらに、メモリ５０５は、コンピュータメモリ、読取り専用メモリ、揮発性メモリ、または不揮発性メモリなど、コンピュータデータ記憶装置または半導体メモリであることがある。メモリは、取得した情報、データ、構成、スケジューリング、およびワイヤレスデバイス１０８で実行されたときに本明細書の方法を実行するアプリケーションなどを記憶するために使用されるように構成される。
【０１７９】
プリコーダの選択を支援し、かつ／またはＲＮ１０６にデータを伝送するための本明細書の実施形態は、図５に示す配列のプロセッサ５０６など１つまたは複数のプロセッサと、本明細書の実施形態の機能および／または方法のアクションを実行するためのコンピュータプログラムコードとによって実装されることがある。上述のプログラムコードは、例えばワイヤレスデバイス１０８にロードされたときに本明細書の実施形態を実行するコンピュータプログラムコードを搬送するデータキャリアの形態で、コンピュータプログラム製品として提供されることもある。１つのこのようなキャリアは、電子信号、光信号、無線信号、またはコンピュータ可読記憶媒体の形態をしていることがある。コンピュータ可読記憶媒体は、ＣＤ−ＲＯＭディスクまたはメモリスティックであることもある。
【０１８０】
コンピュータプログラムコードは、さらに、サーバに記憶され、ワイヤレスデバイス１０８にダウンロードされるプログラムコードとして提供されることもある。
【０１８１】
当業者なら、上記の受信モジュール５０３、伝送モジュール５０２、決定モジュール５０１、および更新モジュール５０４が、アナログ回路とデジタル回路の組合せ、ならびに／あるいはワイヤレスデバイス１０８のプロセッサなど１つまたは複数のプロセッサによって実行されたときに上述のように動作する例えばメモリ５０５に記憶されたソフトウェアおよび／またはファームウェアで構成された１つまたは複数のプロセッサを指す可能性があることも理解するであろう。これらのプロセッサのうちの１つまたは複数、およびその他のデジタルハードウェアが、単一の特定用途向け集積回路（ＡＳＩＣ）に含まれることもあれば、あるいはいくつかのプロセッサおよび様々なデジタルハードウェアが、個別にパッケージ化されているかシステムオンチップ（ＳｏＣ）に組み立てられているかに関わらず、いくつかの分離した構成要素の間に分散していることもある。
【０１８２】
次に、ＲＮ１０６で実行される、ワイヤレスデバイス１０８とのワイヤレス通信のためのプリコーダの選択を実行する方法について、図６ａから図６ｃに示すフローチャートを参照して説明する。ワイヤレスデバイス１０８は、プリコーダのセットで構成される。いくつかの実施形態では、ＲＮ１０６は、プリコーダのセットのサブセットに含まれるプリコーダの数に関する情報についての知識を有していることがある。
【０１８３】
さらに、いくつかの実施形態により、ＲＮ１０６で実行される、ワイヤレスデバイス１０８からデータを受信する方法についても、図６ａから図６ｃに示すフローチャートを参照して説明する。ワイヤレスデバイス１０８は、プリコーダのセットで構成されることがある。プリコーダのセットの各プリコーダは、ワイヤレスデバイス１０８のアンテナ要素のセットで伝送に適用されたときに、それぞれの伝送パターンを提供するように規定される。さらに、ＲＮ１０６は、いくつかの実施形態では、プリコーダのセットのサブセットに含まれるプリコーダの数に関する情報についての知識を有することがある。例えば、プリコーダに連続的な順序を有するように番号を付けることもでき、あるいは各プリコーダにそれぞれの指標を割り当てることもできる。このように、ＲＮ１０６は、サブセット中のプリコーダの数に関する情報についての知識、またはサブセット中のプリコーダに割り当てられた指標に関する情報についての知識を有することがある。
【０１８４】
これらの方法は、以下のアクションのうちの１つまたは複数を含む。アクションは、任意の適当な順序で行うことができること、および組み合わせることができることを理解されたい。
【０１８５】
アクション６０１
いくつかの実施形態では、例えば図６ｃを参照すると、ＲＮ１０６は、サブセットに含まれるプリコーダの数についての情報をワイヤレスデバイス１０８に伝送する。
【０１８６】
アクション６０１は、前述のアクション４０３に関係する。
【０１８７】
アクション６０２
いくつかの実施形態では、アクション６０１の代替として、ＲＮ１０６は、サブセットに含まれるプリコーダの数についての情報をワイヤレスデバイス１０８から受信する。
【０１８８】
アクション６０２は、前述のアクション４０２に関係する。
【０１８９】
アクション６０３
いくつかの実施形態では、例えば図６ｃを参照すると、ＲＮ１０６は、ワイヤレスデバイス１０８による少なくとも１つのサウンディング参照信号の伝送を求める要求をワイヤレスデバイス１０８に伝送する。この少なくとも１つのサウンディング参照信号は、いくつかの実施形態では、複数のサウンディング参照信号を含むことがある。
【０１９０】
アクション６０３は、前述のアクション４０５に関係する。
【０１９１】
アクション６０４
ＲＮ１０６は、プリコーダのセットの中のプリコーダのサブセットに含まれるそれぞれの少なくとも１つのプリコーダでプリコーディングされた少なくとも１つのサウンディング参照信号を、ワイヤレスデバイス１０８から受信する。これは、受信した少なくとも１つのサウンディング参照信号のそれぞれが、そのサウンディング参照信号の伝送時にワイヤレスデバイス１０８により、サブセットに含まれる少なくとも１つのプリコーダのそれぞれのプリコーダでプリコーディングされることを意味する。この少なくとも１つのサウンディング参照信号は、いくつかの実施形態では、複数のサウンディング参照信号を含むことがあり、受信した複数のサウンディング参照信号のそれぞれは、そのサウンディング参照信号の伝送時にワイヤレスデバイス１０８により、サブセットに含まれる複数のプリコーダのそれぞれのプリコーダでプリコーディングされる。
【０１９２】
いくつかの実施形態では、例えばワイヤレスデバイス１０８が偏波共用アンテナ要素を含むときには、ＲＮ１０６は、それぞれの少なくとも１つのプリコーダの中の特定のプリコーダでプリコーディングされた第１のサウンディング参照信号を第１の偏波で受信し、その特定のプリコーダでプリコーディングされた第２のサウンディング参照信号を第２の偏波で受信することによって、この少なくとも１つのサウンディング参照信号を受信することがある。その後、ＲＮ１０６は、受信した第１および第２のサウンディング参照信号に基づいて、第１の偏波に対する第２の偏波の位相角を決定することができる。
【０１９３】
アクション６０４は、前述のアクション４０６に関係する。
【０１９４】
アクション６０５
ＲＮ１０６は、図６ｃを参照すると、受信した少なくとも１つのサウンディング参照信号に基づいて、サブセットに含まれるプリコーダを選択することがある。
【０１９５】
いくつかの実施形態では、ＲＮ１０６は、受信した少なくとも１つのサウンディング参照信号に基づいて、間接的にプリコーダを選択する。
【０１９６】
例えば、受信した少なくとも１つのサウンディング参照信号は、ワイヤレスデバイス１０８およびＲＮ１０６に既知の規則に従って、それぞれのプリコーダの番号または指標と関連付けられることがある。これにより、ＲＮ１０６は、それぞれのプリコーダの番号または指標を選択することができ、選択した番号または選択した指標によって、ＲＮ１０６は、間接的にプリコーダを選択する。
【０１９７】
少なくとも１つのサウンディング参照信号は、いくつかの実施形態では、複数のサウンディング参照信号を含むことがある。そのような実施形態では、プリコーダは、受信した複数のサウンディング参照信号に基づいて、または受信した複数のサウンディング参照信号のうちの選択した１つに基づいて、間接的に選択されることがある。
【０１９８】
アクション６０６
いくつかの実施形態では、例えば図６ａおよび図６ｃを参照すると、ＲＮ１０６への伝送に使用されるプリコーダについてワイヤレスデバイス１０８に通知するために、ＲＮ１０６は、ＲＮ１０６への伝送に使用されるものとして選択されたプリコーダを示す信号をワイヤレスデバイス１０８に伝送し、ここで、この選択されたプリコーダは、受信した少なくとも１つのサウンディング参照信号に基づいて、または受信した複数のサウンディング参照信号に基づいて、間接的に選択されたものである。ＲＮ１０６への伝送は、データ伝送であることがある。
【０１９９】
別法として、またはこれに加えて、例えば図６ｂおよび図６ｃを参照すると、ＲＮ１０６は、ＲＮ１０６にデータを伝送するためのスケジューリンググラントをワイヤレスデバイス１０８に伝送することがあり、このスケジューリンググラントは、受信した少なくとも１つのサウンディング参照信号または複数のサウンディング参照信号のうちの選択したサウンディング参照信号に基づく。スケジューリンググラントは、いくつかの実施形態では、選択されたプリコーダを示す信号に含まれる、またはその信号によって搬送されることがある。スケジューリンググラントは、少なくとも１つの受信したサウンディング参照信号または複数のサウンディング参照信号の受信信号品質に基づくこともある。
【０２００】
いくつかの実施形態では、複数のサウンディング参照信号がＲＮ１０６に伝送されてＲＮ１０６によって受信されたときに、ＲＮ１０６は、受信したサウンディング参照信号のそれぞれの受信信号品質を比較し、受信したサウンディング参照信号の中の１つのサウンディング参照信号を選択することがあり、この選択される１つのサウンディング参照信号は、他の受信したサウンディング参照信号の受信信号品質より良好な受信信号品質を有するものである。このような実施形態では、選択されるプリコーダは、サウンディング参照信号のうちの選択されたサウンディング参照信号に基づいて間接的に選択される。
【０２０１】
前述のように、信号品質は、ＲＮ１０６における受信信号品質であることがある。いくつかの実施形態では、受信信号品質は、ＲＮ１０６におけるチャネル品質と呼ばれる。
【０２０２】
アクション６０６は、前述のアクション４０７に関係する。
【０２０３】
アクション６０７
ＲＮ１０６は、スケジューリンググラントに従ってワイヤレスデバイス１０８からデータを受信する。
【０２０４】
アクション６０７は、前述のアクション４０８に関係する。
【０２０５】
アクション６０８
ＲＮ１０６は、プリコーダのサブセットの更新を求める更新要求をワイヤレスデバイス１０８から受信することがある。前述のように、更新要求は、更新が必要または有益であるとＲＮ１０６に通知することがある。別法として、またはこれに加えて、更新要求は、更新を実行する許可または命令を求める要求を含むこともある。
【０２０６】
アクション６０８は、前述のアクション４１０に関係する。
【０２０７】
アクション６０９
ＲＮ１０６は、更新応答をワイヤレスデバイス１０８に伝送することがある。前述のように、更新応答は、サブセットの更新を実行する許可または命令を含むことがある。更新応答は、タイミング指示を含むこともある。タイミング指示は、サブセットの更新が実行される時点を示すことがある。
【０２０８】
アクション６０９は、前述のアクション４１１に関係する。
【０２０９】
アクション６１０
いくつかの実施形態では、ＲＮ１０６は、ワイヤレスデバイス１０８にサブセットを再評価するように命令する更新命令をワイヤレスデバイス１０８に伝送する。更新命令は、サブセットの更新の時点に関するタイミング情報を含むことがある。
【０２１０】
ＲＮ１０６は、ランダムアクセスコマンドまたはハンドオーバコマンドでこの更新命令を伝送することもある。ランダムアクセスコマンドは、いくつかの実施形態では、初期ランダムアクセスコマンドであることがある。
【０２１１】
アクション６１０は、前述のアクション４０９に関係する。
【０２１２】
アクション６１１
ＲＮ１０６は、再評価完了メッセージをワイヤレスデバイス１０８から受信することがある。さらに、ＲＮ１０６は、更新が完了したときにワイヤレスデバイス１０８から更新完了メッセージを受信することがある。更新完了メッセージは、更新が実行された時点に関するタイミング情報を含むことがある。
【０２１３】
アクション６１１は、前述のアクション４０９および４１２に関係する。
【０２１４】
ワイヤレスデバイス１０８とのワイヤレス通信のためのプリコーダの選択を実行する方法を実行するために、ＲＮ１０６は、図７に示す配列を含むことがある。前述のように、ワイヤレスデバイス１０８は、プリコーダのセットで構成される。いくつかの実施形態では、ＲＮ１０６は、プリコーダのセットのサブセットに含まれるプリコーダの数に関する情報についての知識を有することがある。
【０２１５】
さらに、いくつかの実施形態によれば、ワイヤレスデバイス１０８からデータを受信する方法を実行するために、ＲＮ１０６は、図７に示す配列を含むことがある。ワイヤレスデバイス１０８は、プリコーダのセットで構成される。プリコーダのセットの各プリコーダは、ワイヤレスデバイス１０８のアンテナ要素のセットにおける伝送に適用されたときにそれぞれの伝送パターンを提供するように規定されることがある。さらに、ＲＮ１０６は、いくつかの実施形態では、プリコーダのセットのサブセットに含まれるプリコーダの数に関する情報についての知識を有することがある。
【０２１６】
いくつかの実施形態では、ＲＮ１０６は、ワイヤレスデバイス１０８などの１つまたは複数のワイヤレスデバイス、１つまたは複数の他の無線ノード、および／あるいは１つまたは複数の他のネットワークノードと通信するように構成された入力および／または出力インタフェース７００を含む。入力および／または出力インタフェース７００は、ワイヤレス受信機（図示せず）およびワイヤレス伝送機（図示せず）を含むことがある。
【０２１７】
ＲＮ１０６は、例えばプリコーダのセットの中のプリコーダのサブセットに含まれるそれぞれの少なくとも１つのプリコーダでプリコーディングされた少なくとも１つのサウンディング参照信号をワイヤレスデバイス１０８から受信するように構成された受信モジュール７０１によって、プリコーダのセットの中のプリコーダのサブセットに含まれるそれぞれの少なくとも１つのプリコーダでプリコーディングされた少なくとも１つのサウンディング参照信号をワイヤレスデバイス１０８から受信するように構成されることがある。この少なくとも１つのサウンディング参照信号は、いくつかの実施形態では、複数のサウンディング参照信号を含むことがあり、この受信した複数のサウンディング参照信号のそれぞれは、そのサウンディング参照信号の伝送時にワイヤレスデバイス１０８により、サブセットに含まれる複数のプリコーダのそれぞれのプリコーダでプリコーディングされる。受信モジュール７０１は、ＲＮ１０６のワイヤレス受信機またはプロセッサ７０６によって実装されることがある。プロセッサ７０６については、以下でさらに詳細に説明する。
【０２１８】
いくつかの実施形態では、ＲＮ１０６は、例えばスケジューリンググラントに従ってワイヤレスデバイス１０８からデータを受信するように構成された受信モジュール７０１によって、スケジューリンググラントに従ってワイヤレスデバイス１０８からデータを受信するように構成されることがある。
【０２１９】
ＲＮ１０６は、さらに、例えばそれぞれの少なくとも１つのプリコーダの中の特定のプリコーダでプリコーディングされた第１のサウンディング参照信号を第１の偏波で受信するように構成された受信モジュール７０１によって、それぞれの少なくとも１つのプリコーダの中の特定のプリコーダでプリコーディングされた第１のサウンディング参照信号を第１の偏波で受信し、例えばその特定のプリコーダでプリコーディングされた第２のサウンディング参照信号を第２の偏波で受信するように構成された受信モジュール７０１によって、その特定のプリコーダでプリコーディングされた第２のサウンディング参照信号を第２の偏波で受信し、例えば受信した第１および第２のサウンディング参照信号に基づいて第１の偏波に対する第２の偏波の位相角を決定するように構成された決定モジュール（図示せず）によって、受信した第１および第２のサウンディング参照信号に基づいて第１の偏波に対する第２の偏波の位相角を決定するように構成されることがある。
【０２２０】
いくつかの実施形態では、ＲＮ１０６は、さらに、例えばサブセットに含まれるプリコーダの数についての情報をワイヤレスデバイス１０８から受信するように構成された受信モジュール７０１によって、サブセットに含まれるプリコーダの数についての情報をワイヤレスデバイス１０８から受信するように構成されることがある。
【０２２１】
ＲＮ１０６は、例えばプリコーダのサブセットの更新を求める更新要求をワイヤレスデバイス１０８から受信するように構成された受信モジュール７０１によって、プリコーダのサブセットの更新を求める更新要求をワイヤレスデバイス１０８から受信するように構成されることがある。ワイヤレスデバイス１０８は、サブセットの更新が必要であることをＲＮ１０６に通知するために、ＲＮ１０６に更新要求を伝送することがある。これにより、ＲＮ１０６は、サブセットの更新に備えることができる。ただし、別法として、またはこれに加えて、ワイヤレスデバイス１０８は、サブセットの更新を実行する許可または命令をＲＮ１０６から受信するために、ＲＮ１０６に更新要求を伝送することがある。いくつかの実施形態では、ワイヤレスデバイス１０８は、ＲＮ１０６がプリコーダの更新されたサブセットに含まれる１つまたは複数のプリコーダについての１つまたは複数のサウンディング参照信号を送信する要求をワイヤレスデバイス１０８に伝送することができるように、更新要求をＲＮ１０６に伝送する。ただし、ＲＮ１０６は、更新コマンドまたは命令を、いつでも、それ以前にワイヤレスデバイス１０８からの更新要求がなくても、ワイヤレスデバイスに送信することができることを理解されたい。例えば、ＲＮ１０６が、ワイヤレスデバイス１０８に影響を及ぼすことが分かっている何かを変更したが、ワイヤレスデバイス１０８がその変更を発見するまで待機することを望まない場合は、これが当てはまることがある。
【０２２２】
いくつかの実施形態では、ＲＮ１０６は、さらに、例えば再評価完了メッセージをワイヤレスデバイス１０８から受信するように構成された受信モジュール７０１によって、再評価完了メッセージをワイヤレスデバイス１０８から受信するように構成される。これにより、ＲＮ１０６は、ワイヤレスデバイス１０８がサブセットの再評価を完了したことを通知されることになる。
【０２２３】
ＲＮ１０６は、例えばＲＮ１０６への伝送に使用されるものとして選択されたプリコーダを示す信号をワイヤレスデバイス１０８に伝送するように構成された伝送モジュール７０２によって、ＲＮ１０６への伝送に使用されるものとして選択されたプリコーダを示す信号をワイヤレスデバイス１０８に伝送するように構成されることがあり、ここで、この選択されたプリコーダは、受信した少なくとも１つのサウンディング参照信号に基づいて間接的に選択される。ＲＮ１０６への伝送は、データ伝送であることがある。別法として、またはこれに加えて、ＲＮ１０６は、例えばＲＮ１０６にデータを伝送するためのスケジューリンググラントをワイヤレスデバイス１０８に伝送するように構成された伝送モジュール７０２によって、ＲＮ１０６にデータを伝送するためのスケジューリンググラントをワイヤレスデバイス１０８に伝送するように構成されることがあり、このスケジューリンググラントは、受信した少なくとも１つのサウンディング参照信号のうちの選択した１つに基づく。受信したスケジューリンググラントは、例えばワイヤレスデバイス１０８の受信モジュール５０３に関連して上記で説明した理由から、選択されたプリコーダに基づく、または適合されているとみなすこともできる。スケジューリンググラントは、いくつかの実施形態では、選択されたプリコーダを示す信号に含まれる、またはこの信号によって搬送されることがある。伝送モジュール７０２は、ＲＮ１０６のワイヤレス伝送機（図示せず）またはプロセッサ７０６であることがある。前述のように、選択されるプリコーダは、受信した少なくとも１つのサウンディング参照信号に基づいて間接的に選択されることがある。
【０２２４】
さらに、スケジューリンググラントは、受信した少なくとも１つのサウンディング参照信号の受信信号品質に基づくこともある。前述のように、いくつかの実施形態では、複数のサウンディング参照信号がＲＮ１０６に伝送されてＲＮ１０６によって受信されたとき、ＲＮ１０６は、受信したサウンディング参照信号のそれぞれの受信信号品質を比較して、受信したサウンディング参照信号の中から１つのサウンディング参照信号を選択するように構成されることがあり、この選択される１つのサウンディング参照信号は、他の受信したサウンディング参照信号の受信信号品質より良好な受信信号品質を有する。このような実施形態では、選択されるプリコーダは、選択されたサウンディング参照信号に基づいて間接的に選択される。
【０２２５】
いくつかの実施形態では、ＲＮ１０６は、さらに、例えばワイヤレスデバイス１０８による少なくとも１つのサウンディング参照信号の伝送を求める要求をワイヤレスデバイス１０８に伝送するように構成された伝送モジュール７０２によって、ワイヤレスデバイス１０８による少なくとも１つのサウンディング参照信号の伝送を求める要求をワイヤレスデバイス１０８に伝送するように構成されることがある。この少なくとも１つのサウンディング参照信号は、いくつかの実施形態では、複数のサウンディング参照信号を含むことがある。
【０２２６】
ＲＮ１０６は、さらに、いくつかの実施形態では、例えばサブセットに含まれるプリコーダの数についての情報をワイヤレスデバイス１０８に伝送するように構成された伝送モジュール７０２によって、サブセットに含まれるプリコーダの数についての情報をワイヤレスデバイス１０８に伝送するように構成されることがある。
【０２２７】
いくつかの実施形態では、ＲＮ１０６は、さらに、例えば更新応答をワイヤレスデバイス１０８に伝送するように構成された伝送モジュール７０２によって、更新応答をワイヤレスデバイス１０８に伝送するように構成されることもある。
【０２２８】
さらに、ＲＮ１０６は、例えばサブセットを再評価するようにワイヤレスデバイス１０８に命令する更新命令をワイヤレスデバイス１０８に伝送するように構成された伝送モジュール７０２によって、サブセットを再評価するようにワイヤレスデバイス１０８に命令する更新命令をワイヤレスデバイス１０８に伝送するように構成されることがある。ＲＮ１０６は、例えばランダムアクセスコマンドまたはハンドオーバコマンドで更新命令を伝送するように構成された伝送モジュール７０２によって、ランダムアクセスコマンドまたはハンドオーバコマンドで更新命令を伝送するように構成されることがある。
【０２２９】
ＲＮ１０６は、例えば受信した少なくとも１つのサウンディング参照信号に基づいてサブセットに含まれるプリコーダを選択するように構成された選択モジュール７０３によって、受信した少なくとも１つのサウンディング参照信号に基づいてサブセットに含まれるプリコーダを選択するように構成されることがある。選択モジュール７０３は、ＲＮ１０６のプロセッサ７０６によって実装されることがある。
【０２３０】
換言すれば、プリコーダは、受信した少なくとも１つのサウンディング参照信号に基づいて、または受信した少なくとも１つのサウンディング参照信号のうちの選択した１つに基づいて、間接的に選択される。この少なくとも１つのサウンディング参照信号は、いくつかの実施形態では、複数のサウンディング参照信号を含むことがある。そのような実施形態では、プリコーダは、受信した複数のサウンディング参照信号に基づいて、または受信した複数のサウンディング参照信号のうちの選択した１つに基づいて、間接的に選択されることがある。
【０２３１】
ＲＮ１０６は、例えば間接的に選択されたプリコーダに基づいてワイヤレスデバイス１０８からＲＮ１０６への１つまたは複数の伝送をスケジューリングするように構成されたスケジューリングモジュール７０４によって、間接的に選択されたプリコーダに基づいてワイヤレスデバイス１０８からＲＮ１０６への１つまたは複数の伝送をスケジューリングするように構成されることがある。スケジューリングモジュール７０４は、ＲＮ１０６のプロセッサ７０６によって実装されることがある。
【０２３２】
ＲＮ１０６は、また、データを記憶する手段も含むことがある。いくつかの実施形態では、ＲＮ１０６は、データを記憶するように構成されたメモリ７０５を含む。データは、処理済みまたは未処理のデータ、および／あるいはそのデータに関する情報であることがある。メモリ７０５は、１つまたは複数のメモリユニットを含むことがある。さらに、メモリ７０５は、コンピュータメモリ、読取り専用メモリ、揮発性メモリ、または不揮発性メモリなど、コンピュータデータ記憶装置または半導体メモリであることがある。メモリは、取得した情報、データ、構成、スケジューリング、およびＲＮ１０６で実行されたときに本明細書の方法を実行するアプリケーションなどを記憶するために使用されるように構成される。
【０２３３】
ワイヤレスデバイス１０８とのワイヤレス通信のためのプリコーダの選択を実行し、かつ／またはワイヤレスデバイス１０８からデータを受信するための本明細書の実施形態は、図７に示す配列のプロセッサ７０６など１つまたは複数のプロセッサと、本明細書の実施形態の機能および／または方法のアクションを実行するためのコンピュータプログラムコードとによって実装されることがある。上述のプログラムコードは、例えばＲＮ１０６にロードされたときに本明細書の実施形態を実行するコンピュータプログラムコードを搬送するデータキャリアの形態で、コンピュータプログラム製品として提供されることもある。１つのこのようなキャリアは、電子信号、光信号、無線信号、またはコンピュータ可読記憶媒体の形態をしていることがある。コンピュータ可読記憶媒体は、ＣＤ−ＲＯＭディスクまたはメモリスティックであることもある。
【０２３４】
コンピュータプログラムコードは、さらに、サーバに記憶され、ＲＮ１０６にダウンロードされるプログラムコードとして提供されることもある。
【０２３５】
当業者なら、上記の伝送モジュール７０２、受信モジュール７０１、選択モジュール７０３、およびスケジューリングモジュール７０４が、アナログ回路とデジタル回路の組合せ、ならびに／あるいはＲＮ１０６のプロセッサなど１つまたは複数のプロセッサによって実行されたときに上述のように動作する例えばメモリに記憶されたソフトウェアおよび／またはファームウェアで構成された１つまたは複数のプロセッサを指す可能性があることも理解するであろう。これらのプロセッサのうちの１つまたは複数、およびその他のデジタルハードウェアが、単一の特定用途向け集積回路（ＡＳＩＣ）に含まれることもあれば、あるいはいくつかのプロセッサおよび様々なデジタルハードウェアが、個別にパッケージ化されているかシステムオンチップ（ＳｏＣ）に組み立てられているかに関わらず、いくつかの分離した構成要素の間に分散していることもある。
【０２３６】
いくつかの例証的な実施形態
いくつかの例証的な実施形態によれば、ワイヤレスデバイス１０８に特有のプリコーダのセットＭが規定され、例えばワイヤレスデバイス１０８のメモリに記憶される。換言すれば、各ワイヤレスデバイス１０８は、ワイヤレスデバイス１０８のメモリに記憶することができるそれ自体の特有のプリコーダのセットを有する。一般的な場合には、各プリコーダは、ワイヤレスデバイス１０８のＮ個のアンテナ要素のそれぞれについて複素数を規定する。数学的には、ワイヤレスデバイス１０８がＮ個のアンテナ要素を有する場合、プリコーダは、以下のベクトルｗとして表現され得る。
ｗ＝［ｗ０  ｗ１  …  ｗＮ−２  ｗＮ−１］
ここで、ｗｉは、アンテナ要素ｉにおける信号の位相および振幅調整を表す複素数である。なお、このプリコーディングベクトルにおけるいくつかのアンテナ要素はゼロであることがあり、関連するアンテナ要素が使用不能であることを示していることがあることに留意されたい。したがって、プリコーダのセットＭは、利用可能なプリコーダの集合である。
Ｍ＝｛ｗ（０）、…、ｗ（Ω−１）｝
【０２３７】
したがって、このセット中の各プリコーダｗは、任意のアレイに一般化することができる背景技術による位相コヒーレントビーム形成理論に従って、指向性ビームに対応することがある。なお、プリコーダは、高い指向性が主要な設計目標ではない放射パターンを実現するように設計されることもあることに留意されたい。セット中のいくつかのプリコーダがほぼ全方向性の放射パターンを有し、様々なプリコーダを使用して偏波ダイバーシチを実現すると有用であることがある。
【０２３８】
本明細書のいくつかの実施形態の特徴は、ワイヤレスデバイス１０８のプリコーダのセットＭが、例えばＲＮ１０６など、通信ネットワークに知られていなくてもよいことである。したがって、それぞれのワイヤレスデバイスのアンテナ配列に応じてこのセットを最適化するのは、ワイヤレスデバイスの各製造業者次第である。したがって、通信ネットワーク内の異なるワイヤレスデバイスは、メモリに記憶した異なるプリコーダのセットＭを有することができる。これは、ワイヤレスデバイスがハンドセットであるか、ラップトップであるか、タブレットであるか、あるいはファブレットなどであるかに関わらず、プリコーダのセットＭをワイヤレスデバイスの各タイプごとに最適化することができるので、有用である。
【０２３９】
例えばセル電話、タブレット、ラップトップ、固定アクセスポイントなど、ワイヤレスデバイスの形状因子が異なるということは、アンテナ配置が異なることを意味し、したがってプリコーダのセットＭが異なることを意味する。ワイヤレスデバイスについて規定されたプリコーダのセットＭで、プリコーダのセットＭは、通信ネットワークのアップリンクサウンディング容量より遙に大きいことがあることが分かっている。したがって、セットＭのプリコーダの数は、数十から数百の範囲であることがある。したがって、セットＭ中の可能なプリコーディングベクトルのそれぞれについてサウンディング参照信号を伝送することは、サウンディングが行われるたびにアップリンク帯域幅およびパワーを消費するので、現実には実際的ではない。一方、大きなセットＭを有することは、多くの異なるチャネル状態に対応するために有益である。したがって、大きなプリコーダのセットＭおよびアップリンクサウンディング容量の相反する利害をどのように扱うかが難題である。
【０２４０】
したがって、本明細書のいくつかの実施形態では、例えばＲＮ１０６などの通信ネットワークでアップリンクチャネル状態情報を取得する基本的な方式は、以下のアクションで説明することができる。
【０２４１】
１．可能なプリコーダ（例えばビーム）のセットＭの中の関心のあるプリコーダ（例えばビーム）のサブセットＳ∈Ｍは、ワイヤレスデバイス１０８で決定することがある。Ｓ中のプリコーダ（例えばビーム）の列挙法は、例えばプリコーダ（例えばビーム）に０から｜Ｓ｜−１までの番号を付けるなど、Ｓ中の各プリコーダ（ビーム）が一意的な識別子を有するような方法で実行されることがある。これは、例えば上述のアクション３０１、３０２、３０４、４０１、４０２、および４０４に関係する。
【０２４２】
ａ．選択されたサブセットＳは、したがって、
2019195160.tif 000004
で表すことができる。ここで、ｋ０、…、ｋＸ−１は、選択されたプリコーディングベクトルの指標である。
【０２４３】
２．ＲＮ１０６は、異なる対応するプリコーダを使用してチャネル品質を査定するために、サブセットＳ中のビーム方向のうちの１つまたは複数のサウンディング参照信号を要求することがある。ただし、このアクションは、任意選択であることがあること、およびＲＮ１０６は、先行するサウンディング参照信号がなくてもサブセットＳ中の異なるプリコーダ（例えばビーム）におけるデータ伝送をスケジューリングすることがあることを理解されたい。これは、例えば上述のアクション３０５、４０５、および６０３に関係する。
【０２４４】
３．ＲＮ１０６は、サブセットＳ中のプリコーダ（例えばビーム）のうちの１つまたは複数におけるデータ伝送をスケジューリングすることがある。例えばスケジューリングモジュール７０４など、ＲＮ１０６のスケジューラは、スケジューリングプロセスで上記のアクション２で得られた推定アップリンクチャネル品質を使用して、例えばトランスポートブロックサイズならびに変調およびコード化方式を決定することがある。
【０２４５】
このように、可能なプリコーダのセットＭの全体のサイズは｜Ｍ｜であるので、ワイヤレスデバイス１０８は、最大で｜Ｍ｜個の異なるビームを形成することができることがあるが、これらのプリコーダのうちのＸ＝｜Ｓ｜個だけが、ＲＮ１０６に対して可視であることがある。特に、ＲＮ１０６は、ワイヤレスデバイス１０８がどのようにしてサブセットＳを導出したかを知る必要がない。したがって、ＲＮ１０６は、ワイヤレスデバイス１０８におけるアンテナ配列についての知識を有する必要がない。ただし、ワイヤレスデバイス１０８は、上述のアクション１から３の全てにおいて、同じサブセットＳ中のビームの列挙法を使用しなければならない。すなわち、上記のアクション１のセットＭ中の特定のプリコーダ（ビーム）がプリコーダ（ビーム）番号ｉと呼ばれる場合には、アクション２のサウンディング参照信号およびアクション３のアップリンクスケジューリングは、同じプリコーダ（ビーム）を指標ｉで参照することができなければならない。
【０２４６】
サブセットＳのサイズ｜Ｓ｜は、仕様で固定されることも、ＲＲＣシグナリングなどの上位レイヤシグナリングを使用してＲＮ１０６がワイヤレスデバイス１０８に合わせて構成可能であることも、またはワイヤレスデバイス１０８自体によって決定されることもある。後者の場合には、ワイヤレスデバイス１０８は、例えば単純にその結論をＲＮ１０６に報告することなどによって、サイズについてＲＮ１０６と合意している必要があることがある。ワイヤレスデバイス１０８は、ワイヤレスデバイス１０８およびＲＮ１０６の両方が例えばサウンディングを要求するときに有効なプリコーダ指標がどの範囲にあるかを知っているように、サイズについてＲＮ１０６と合意している必要があることがある。サブセットＳのサイズ｜Ｓ｜を設定するこの３つの方法を組み合わせることを考えることもできる。
【０２４７】
いくつかの実施形態では、サブセットＳのサイズは、サウンディング要求メッセージでワイヤレスデバイス１０８にシグナリングされる。したがって、ＲＮ１０６は、Ｘ個のサウンディング参照信号を伝送するようにワイヤレスデバイス１０８に指示することがある。次いで、ワイヤレスデバイス１０８が、可能なＭ個のプリコーダの中からサブセットＳの選択を行うことができる。
【０２４８】
アクション１の伝送プリコーディング重みのサブセットＳの決定は、複数の方法で行うことができる。例えば、ワイヤレスデバイス１０８は、少なくとも長期的相互関係などアップリンク（ＵＬ）とダウンリンク（ＤＬ）の間の相互関係に依拠して、全てのビームのダウンリンク品質を測定することができる。例えば、受信プリコーダ重みを発見または決定し、次いで基本的に同じ放射パターンを与える、すなわち決定した受信プリコーダ重みで得られる受信感度パターンに基本的に等しい、またはそれに対応する伝送放射パターンを与えるサブセットＳまたはセットＭから伝送プリコーダ重みを発見または決定することによって、｜Ｓ｜個の最良の受信プリコーダ重みを伝送プリコーダサブセットＳのメンバとして選択する。ワイヤレスデバイス１０８は、また、先行するサブセットＳまたは以前のランダムアクセスステップの最も有望なビーム方向の以前の知識を使用することもある。これは、例えば上述のアクション３０４および４０４に関係する。
【０２４９】
伝送プリコーディング重みのサブセットＳは、例えばワイヤレスデバイス１０８が例えば移動性またはその他の伝搬環境の変化などによって異なるビームのセットの方がより良好な品質を有すると結論づけた場合などには、時間と共に変化することがある。したがって、ワイヤレスデバイス１０８は、上記のアクション１によるサブセットの決定を、何らかの周期で、または何らかの事象によってトリガされることによって反復する必要があることがある。このような事象は、例えば測定に基づくワイヤレスデバイス１０８の内部事象であることもあるが、例えばＲＮ１０６など通信ネットワークからの外部の明示的な要求であることもある。これは、例えば上述のアクション３１２、４０９、および６１０に関係する。
【０２５０】
上記の３つの異なるアクション１から３のサブセットＳのビームの列挙法を維持する必要があるので、ワイヤレスデバイス１０８は、サブセットＳを自律的に更新しないこともある。これの取り扱い方は様々な可能性があるが、少なくとも以下の２つのツールが有用である可能性がある。
【０２５１】
・ワイヤレスデバイス１０８は、サブセットＳの更新が有益であると検出したときに、「更新要求」をＲＮ１０６に伝送することがある。ワイヤレスデバイス１０８は、ＲＮ１０６からの「更新」応答を待機してからサブセットＳを更新してもよいし、あるいはこの応答を待機せずにサブセットを更新してもよい。いくつかの実施形態では、前者の方が後者より好ましい。後者の場合には、まだ実施されていないが古いサブセットＳに基づいてＲＮ１０６によってスケジューリングされているアップリンクデータ伝送が失敗する恐れがあるというリスクがある。これは、例えばアクション３１２、３１３、３１６、４０９、４１０、４１１、４１２、６−８、および６０９に関係する。
【０２５２】
・ＲＮ１０６は、ワイヤレスデバイス１０８にサブセットＳを再評価または再決定することを要求することがある更新コマンドまたは命令を、ワイヤレスデバイス１０８に伝送することがある。ワイヤレスデバイス１０８は、「再評価完了」応答で応答することもあり、あるいは、新たなサブセットＳの形成は、「再評価要求」コマンドを受信してから既定の時間が経過したときに完了したものと仮定される。これは、例えば上述のアクション３１４、３１５、４１１、６１０、および６１１に関係する。
【０２５３】
ワイヤレスデバイス１０８における他の手順も、新たなサブセットＳの形成を意味することがある。その例は、例えば初期ランダムアクセスなどのランダムアクセスコマンドおよびハンドオーバコマンドである。
【０２５４】
いくつかの実施形態では、サブセットＳの選択は、最初にセットＭ、
2019195160.tif 000005
から最良のプリコーディングベクトルを発見することによって実行される。次いで、このベクトル
2019195160.tif 000006
の直交または直交に近いベクトルを、サブセットＳ、
2019195160.tif 000007
の第２のベクトルとして発見する。したがって、これらのベクトルが正規化されていると仮定して、
2019195160.tif 000008
である。この基準により、
2019195160.tif 000009
が最良の候補である場合にはほぼ平行な第２のベクトルも良好な候補である可能性が高いことから無制限アルゴリズムで起こる可能性が高い、ワイヤレスデバイス１０８がほぼ平行な２つのプリコーディングベクトルを選択するという問題を回避する。このアルゴリズムは、その後引き続きその前の２つの選択したベクトルなどと直交する、または直交に近い第３の候補を発見するなどの処理を行うことがある。これは、例えば上述のアクション４０４に関係する。
【０２５５】
さらに、いくつかの実施形態では、ワイヤレスデバイス１０８において偏波共用アンテナを使用するものと仮定し、また、ワイヤレスデバイス１０８が、ＲＮ１０６が第１の偏波に対する第２の偏波の例えば最適位相角などの所望の位相角を決定することができるように１つまたは複数のサウンディング参照信号を伝送するものと仮定する。これは、以下のように実現されることがある。セットＳ中の各プリコーダについて、ワイヤレスデバイス１０８は、サウンディング参照信号の伝送において、そのプリコーダを、各偏波ごとに１回ずつ、計２回使用する。したがって、ＲＮ１０６は、このプリコーダ（すなわちビーム）が使用されたときに、２つの偏波ブランチの間の相対位相を測定することができる。ＲＮ１０６は、ワイヤレスデバイス１０８において偏波共用アンテナが使用されるときにはワイヤレスデバイス１０８がこのサウンディング技術を使用することを知っているものと仮定する。この能力は、ワイヤレスデバイス１０８が、例えばＲＲＣ構成および能力シグナリングを使用してＲＮ１０６に対して示すことができる。換言すれば、ワイヤレスデバイス１０８は、例えばＲＲＣ構成および能力シグナリングを使用してこの能力をＲＮ１０６に対して示すように構成されることがあり、ＲＮ１０６は、ワイヤレスデバイス１０８がこの能力をＲＮ１０６に対して示したときに偏波共用アンテナを使用してワイヤレスデバイス１０８からサウンディング参照信号を受信するように構成されることがある。これが当てはまるときには、ワイヤレスデバイス１０８は、Ｘ個のビーム／プリコーダについてのサウンディング参照信号を伝送するようにスケジューリングされるが、ワイヤレスデバイス１０８は、実際には２Ｘ個のサウンディング参照信号を伝送して、偏波共用チャネルサウンディングを実現する。これは、例えば上述のアクション４０６に関係する。
【０２５６】
「含む」または「含んでいる」という用語を使用しているとき、それは、非制限的なものとして、すなわち「少なくともそれからなる」ことを意味するものとして解釈するものとする。さらに、本明細書で「ａ」または「ａｎ」という単語を使用しているとき、それは、「少なくとも１つの」、「１つまたは複数の」などとして解釈するものとする。
【０２５７】
本明細書の実施形態は、上述の好ましい実施形態に限定されない。様々な代替、修正、および均等物を使用することができる。したがって、上記の実施形態は、添付の特許請求の範囲に規定される本発明の範囲を限定するものとして解釈されないものとする。
【図１】
2019195160.tif 000010
【図２】
2019195160.tif 000011
【図３】
2019195160.tif 000012
【図４ａ】
2019195160.tif 000013
【図４ｂ】
2019195160.tif 000014
【図４ｃ】
2019195160.tif 000015
【図５】
2019195160.tif 000016
【図６ａ】
2019195160.tif 000017
【図６ｂ】
2019195160.tif 000018
【図６ｃ】
2019195160.tif 000019
【図７】
2019195160.tif 000020
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
ワイヤレスデバイス（１０８）によって実行される、無線ノード（ＲＮ）（１０６）とのワイヤレス通信のためのプリコーダの選択を支援する方法であって、前記ワイヤレスデバイス（１０８）が、前記ＲＮ（１０６）には未知である、プリコーダのデバイス固有セットを有し、前記方法が、
前記ＲＮ（１０６）からの少なくとも１つの伝送についての測定に基づいて、前記プリコーダのデバイス固有セットの中から決定（４０４）されたサブセットのそれぞれの少なくとも１つのプリコーダでプリコーディングされた少なくとも１つのサウンディング参照信号（ＳＲＳ）を前記ＲＮ（１０６）に伝送すること（４０６）と、
前記少なくとも１つのＳＲＳのうちの選択された１つを示し、これにより前記ＲＮ（１０６）への伝送に使用される、前記サブセットから選択されたプリコーダを示す信号を、前記ＲＮ（１０６）から受信すること（４０７）であって、
前記信号は、前記ＲＮ（１０６）にデータを伝送するためのスケジューリンググラントを搬送し、
前記スケジューリンググラントは、前記少なくとも１つのＳＲＳのうちの選択された１つに基づく、
受信すること（４０７）と、
前記スケジューリンググラントに従って、前記ＲＮ（１０６）に、前記選択されたプリコーダを使用してプリコーディングされたデータを伝送すること（４０８）と、
を含む、方法。
【請求項２】
前記プリコーダのサブセット中の同じプリコーダの列挙法が、前記方法を通じて使用される、請求項１に記載の方法。
【請求項３】
前記サブセットに含まれるプリコーダの数を決定すること（４０１）と、
前記決定したプリコーダの数についての情報を前記ＲＮ（１０６）に伝送すること（４０２）とをさらに含む、請求項１又は２に記載の方法。
【請求項４】
前記サブセットに含まれるプリコーダの数についての情報を前記ＲＮ（１０６）から受信すること（４０３）をさらに含む、請求項１から３のいずれか一項に記載の方法。
【請求項５】
前記サブセットを決定すること（４０４）が、
少なくとも１つの先行するサブセットについての知識に基づいて、またはランダムアクセス手順に基づいて、前記サブセットを決定すること、又は
アンテナインピーダンス、反射アンテナパワー、および／または物理的相互作用の測定に基づいて、前記プリコーダのセット中のプリコーダを前記サブセットから除外すべきであると決定すること
のうち少なくとも１つをさらに含む、請求項１から４のいずれか一項に記載の方法。
【請求項６】
前記サブセットを決定すること（４０４）が、
前記サブセットに含まれる前記プリコーダのセットから、前記セットの他のプリコーダによって与えられる受信信号品質より良好な前記ＲＮ（１０６）における受信信号品質を与える第１のプリコーダを決定することと、
前記サブセットに含まれる、前記第１のプリコーダと直交する第２のプリコーダを決定することとをさらに含む、請求項１から５のいずれか一項に記載の方法。
【請求項７】
前記プリコーダのサブセットの更新が必要であると決定すること（４０９）と、
前記決定に応答して前記サブセットを更新すること（４１２）とをさらに含む、請求項１から６のいずれか一項に記載の方法。
【請求項８】
前記サブセットを更新すること（４１２）が、
前記ワイヤレスデバイス（１０８）が前記プリコーダのサブセットの更新が必要であると決定すること（４０９）に応答して、前記プリコーダのサブセットの更新を求める更新要求を前記ＲＮ（１０６）に伝送すること（４１０）と、
前記ＲＮ（１０６）から更新応答を受信すること（４１１）とをさらに含み、
前記サブセットの前記更新（４１２）が、前記ワイヤレスデバイス（１０８）によって、前記ＲＮ（１０６）から前記更新応答を受信したのに応答して実行される、
請求項７に記載の方法。
【請求項９】
前記サブセットの更新が必要であると決定すること（４０９）が、
前記ＲＮ（１０６）から前記ワイヤレスデバイス（１０８）に前記プリコーダのサブセットを再評価するように命令する更新命令を受信することと、
前記サブセットを再評価することとをさらに含み、
前記サブセットを更新すること（４１２）が、
前記再評価に基づいて前記サブセットを更新することをさらに含む、請求項７に記載の方法。
【請求項１０】
無線ノード（ＲＮ）（１０６）によって実行される、プリコーダのデバイス固有セットを有するワイヤレスデバイス（１０８）とのワイヤレス通信のためのプリコーダの選択を実行する方法であって、前記プリコーダのデバイス固有セットが前記ＲＮ（１０６）には未知であり、前記方法が、
前記プリコーダのデバイス固有セットのサブセットのそれぞれの少なくとも１つのプリコーダでプリコーディングされた少なくとも１つのサウンディング参照信号（ＳＲＳ）を前記ワイヤレスデバイス（１０８）から受信すること（６０４）であって、前記サブセットは、前記ＲＮ（１０６）から前記ワイヤレスデバイス（１０８）への少なくとも１つの伝送についての測定に基づいて、前記ワイヤレスデバイス（１０８）により決定されている、受信すること（６０４）と、
前記少なくとも１つのＳＲＳのうちの選択された１つを示し、これにより前記ＲＮ（１０６）への伝送に使用される、前記サブセットから選択されたプリコーダを示す信号を、を前記ワイヤレスデバイス（１０８）に伝送すること（６０６）であって、
前記信号は、前記ＲＮ（１０６）にデータを伝送するためのスケジューリンググラントを搬送し、
前記スケジューリンググラントは、前記少なくとも１つのＳＲＳのうちの選択された１つに基づく、
伝送すること（６０６）と、
前記スケジューリンググラントに従って前記ワイヤレスデバイス（１０８）から、前記選択されたプリコーダを使用してプリコーディングされたデータを受信すること（６０７）と、を含む、方法。
【請求項１１】
前記スケジューリンググラントが、前記選択されたＳＲＳの受信信号品質に基づく、請求項１０に記載の方法。
【請求項１２】
前記サブセットのプリコーダの数についての情報を前記ワイヤレスデバイス（１０８）から受信すること（６０２）をさらに含む、請求項１０又は１１に記載の方法。
【請求項１３】
前記サブセットに含まれるプリコーダの数についての情報を前記ワイヤレスデバイス（１０８）に伝送すること（６０１）をさらに含む、請求項１０又は１１に記載の方法。
【請求項１４】
前記プリコーダのサブセットの更新を求める更新要求を前記ワイヤレスデバイス（１０８）から受信すること（６０８）と、
更新応答を前記ワイヤレスデバイス（１０８）に伝送すること（６０９）と、
をさらに含む、請求項１０から１３のいずれか一項に記載の方法。
【請求項１５】
前記サブセットを再評価するように前記ワイヤレスデバイス（１０８）に命令する更新命令を前記ワイヤレスデバイス（１０８）に伝送すること（６１０）をさらに含む、請求項１０から１４のいずれか一項に記載の方法。
【請求項１６】
無線ノード（ＲＮ）（１０６）とのワイヤレス通信のためのプリコーダの選択を支援するように構成されたワイヤレスデバイス（１０８）であって、前記ＲＮ（１０６）には未知であるプリコーダのデバイス固有セットを有し、
前記ワイヤレスデバイス（１０８）は、
前記ＲＮ（１０６）からの少なくとも１つの伝送についての測定に基づいて、前記プリコーダのデバイス固有セットの中から決定されたサブセットのそれぞれの少なくとも１つのプリコーダでプリコーディングされた少なくとも１つのサウンディング参照信号（ＳＲＳ）を前記ＲＮ（１０６）に伝送し、
前記少なくとも１つのＳＲＳのうちの選択された１つを示し、これにより前記ＲＮ（１０６）への伝送に使用される、前記サブセットから選択されたプリコーダを示す信号を、前記ＲＮ（１０６）から受信し、前記信号は、前記ＲＮ（１０６）にデータを伝送するためのスケジューリンググラントを搬送し、前記スケジューリンググラントは、前記少なくとも１つのＳＲＳのうちの選択された１つに基づき、
前記ＲＮ（１０６）にデータを伝送するためのスケジューリンググラントを前記ＲＮ（１０６）から受信し、前記スケジューリンググラントが、前記伝送された少なくとも１つのＳＲＳのうちの選択された１つに基づいており、前記ＳＲＳの選択が、前記ＲＮ（１０６）への伝送に使用される選択されたプリコーダを示しており、
前記スケジューリンググラントに従って前記ＲＮ（１０６）に、前記選択されたプリコーダを使用してプリコーディングされたデータを伝送するように構成された、ワイヤレスデバイス（１０８）。
【請求項１７】
プリコーダのデバイス固有セットを有するワイヤレスデバイス（１０８）とのワイヤレス通信のためのプリコーダの選択を実行するように構成された無線ノード（ＲＮ）（１０６）であって、前記プリコーダのデバイス固有セットは前記ＲＮ（１０６）には未知であり、前記ＲＮ（１０６）が、
前記プリコーダのデバイス固有セットのサブセットのそれぞれの少なくとも１つのプリコーダでプリコーディングされた少なくとも１つのサウンディング参照信号（ＳＲＳ）を前記ワイヤレスデバイス（１０８）から受信し、前記サブセットは、前記ＲＮ（１０６）から前記ワイヤレスデバイス（１０８）への少なくとも１つの伝送についての測定に基づいて、前記ワイヤレスデバイス（１０８）により決定されており、
前記少なくとも１つのＳＲＳのうちの選択された１つを示し、これにより前記ＲＮ（１０６）への伝送に使用される、前記サブセットから選択されたプリコーダを示す信号を、前記ワイヤレスデバイス（１０８）に伝送し、前記信号は、前記ＲＮ（１０６）にデータを伝送するためのスケジューリンググラントを搬送し、前記スケジューリンググラントは、前記少なくとも１つのＳＲＳのうちの選択された１つに基づき、
前記スケジューリンググラントに従って前記ワイヤレスデバイス（１０８）から、前記選択されたプリコーダを使用してプリコーディングされたデータを受信するように構成される、ＲＮ（１０６）。
【外国語明細書】
2019195160000001.pdf